(57)【特許請求の範囲】
【請求項１】
制御チャネル受信方法であって、
基地局からのユーザ装置固有の識別情報を、ユーザ装置が受信する受信ステップと、
候補制御チャネルの組の構成パラメータを、事前に設定された構成に従ってユーザ装置が取得する取得ステップであり、前記構成パラメータは前記候補制御チャネルの組の集約レベルを含む、取得ステップと、
前記構成パラメータ及び前記ユーザ装置固有の識別情報に従ってアンテナ・ポートを前記ユーザ装置が決定する決定ステップと、
前記アンテナ・ポートを使用することによって、前記基地局からの制御チャネル又は制御チャネル要素を前記ユーザ装置が受信する受信ステップであり、前記制御チャネルは拡張された物理ダウンリンク制御チャネル（Ｅ−ＰＤＣＣＨ）であり、前記制御チャネル要素は拡張された制御チャネル要素（Ｅ−ＣＣＥ）である、受信ステップと
を備える、制御チャネル受信方法。
【請求項２】
請求項１に記載の方法であって、
前記構成パラメータは、前記候補制御チャネルの組の前記集約レベルに対応する検索領域における第１の制御チャネル要素のシーケンス番号をさらに含み、
前記構成パラメータ及び前記ユーザ装置固有の識別情報に従ってアンテナ・ポートを前記ユーザ装置が決定する前記決定ステップは、
前記候補制御チャネルの組の前記集約レベルと、前記候補制御チャネルの組の前記集約レベルに対応する前記検索領域における前記第１の制御チャネル要素の前記位置と、前記ユーザ装置固有の識別情報とに従って前記アンテナ・ポートを前記ユーザ装置が決定する決定ステップを含む、
方法。
【請求項３】
請求項２に記載の方法であって、
前記構成パラメータ及び前記ユーザ装置固有の識別情報に従ってアンテナ・ポートを前記ユーザ装置が決定する前記決定ステップは、
前記候補制御チャネルの組の前記集約レベルと、前記候補制御チャネルの組の前記集約レベルに対応する前記検索領域における前記第１の制御チャネル要素の前記位置と、前記ユーザ装置固有の識別情報と、前記アンテナ・ポートと前記候補制御チャネルの組の前記集約レベルに対応する前記検索領域における前記第１の制御チャネル要素の前記位置との間に事前に定義されたマッピング関係とに従って前記アンテナ・ポートを前記ユーザ装置が決定する決定ステップを含む、
方法。
【請求項４】
請求項１から３のいずれか１項に記載の方法であって、
前記ユーザ装置固有の識別情報は無線ネットワーク一時識別情報（ＲＮＴＩ）である、
方法。
【請求項５】
制御チャネル送信方法であって、
候補制御チャネルの組の構成パラメータを、事前に設定された構成に従って基地局が取得する取得ステップであり、前記構成パラメータは前記候補制御チャネルの組の集約レベルを含む、取得ステップと、
前記ユーザ装置に対応するユーザ装置固有の識別情報を前記基地局が取得する取得ステップと、
前記取得された構成パラメータ及び前記ユーザ装置固有の識別情報に従ってアンテナ・ポートを前記基地局が決定する決定ステップと、
前記アンテナ・ポートを使用することによって、前記ユーザ装置に制御チャネル又は制御チャネル要素を前記基地局が送信する送信ステップであり、前記制御チャネルは拡張された物理ダウンリンク制御チャネル（Ｅ−ＰＤＣＣＨ）であり、前記制御チャネル要素は拡張された制御チャネル要素（Ｅ−ＣＣＥ）である、送信ステップと
を備える、
制御チャネル送信方法。
【請求項６】
請求項５に記載の方法であって、
前記構成パラメータは、前記候補制御チャネルの組の前記集約レベルに対応する検索領域における第１の制御チャネルのシーケンス番号をさらに含み、
前記構成パラメータ及び前記ユーザ装置固有の識別情報に従ってアンテナ・ポートを前記基地局が決定する前記決定ステップは、
前記候補制御チャネルの組の前記集約レベルと、前記候補制御チャネルの組の前記集約レベルに対応する前記検索領域における前記第１の制御チャネル要素の前記位置と、前記ユーザ装置固有の識別情報とに従って前記アンテナ・ポートを前記基地局が決定する決定ステップを含む、
方法。
【請求項７】
請求項６に記載の方法であって、
前記構成パラメータ及び前記ユーザ装置固有の識別情報に従ってアンテナ・ポートを前記基地局が決定する前記決定ステップは、前記候補制御チャネルの組の前記集約レベルと、前記候補制御チャネルの組の前記集約レベルに対応する前記検索領域における前記第１の制御チャネル要素の前記位置と、前記ユーザ装置固有の識別情報と、前記アンテナ・ポートと前記候補制御チャネルの組の前記集約レベルに対応する前記検索領域における前記第１の制御チャネル要素の前記位置との間に事前に定義されたマッピング関係とに従って前記アンテナ・ポートを前記基地局が決定する決定ステップを含む、
方法。
【請求項８】
請求項５から７のいずれか１項に記載の方法であって、
前記ユーザ装置固有の識別情報は無線ネットワーク一時識別情報（ＲＮＴＩ）である、
方法。
【請求項９】
ユーザ装置であって、
候補制御チャネルの組の構成パラメータを事前に設定された構成に従って取得するように構成された取得ユニットであり、前記構成パラメータは前記候補制御チャネルの組の集約レベルを含む、取得ユニットと、
基地局からのユーザ装置固有の識別情報を受信するように構成された受信ユニットと、
前記取得ユニットによって取得された前記構成パラメータ及び前記受信ユニットによって受信された前記ユーザ装置固有の識別情報に従ってアンテナ・ポートを決定するように構成された決定ユニットと、を備え、前記受信ユニットは、
前記決定ユニットによって決定された前記アンテナ・ポートを使用することによって、前記基地局からの制御チャネル又は制御チャネル要素を受信するようにさらに構成され、前記制御チャネルは拡張された物理ダウンリンク制御チャネル（Ｅ−ＰＤＣＣＨ）であり、前記制御チャネル要素は拡張された制御チャネル要素（Ｅ−ＣＣＥ）である、ユーザ装置。
【請求項１０】
請求項９に記載のユーザ装置であって、
前記構成パラメータは、前記候補制御チャネルの組の前記集約レベルに対応する検索領域における第１の制御チャネル要素のシーケンス番号をさらに含み、
前記決定ユニットは、前記取得ユニットによって取得された前記構成パラメータ及び前記受信ユニットによって受信された前記ユーザ装置固有の識別情報に従ってアンテナ・ポートを、以下の通り、
前記候補制御チャネルの組の前記集約レベルと、前記候補制御チャネルの組の前記集約レベルに対応する前記検索領域における前記第１の制御チャネル要素の前記位置と、前記ユーザ装置固有の識別情報とに従って前記アンテナ・ポートを決定するように、
決定するように構成された、
ユーザ装置。
【請求項１１】
請求項９または１０に記載のユーザ装置であって、
前記決定ユニットは、前記取得ユニットによって取得された前記構成パラメータ及び前記受信ユニットによって受信された前記ユーザ装置固有の識別情報に従ってアンテナ・ポートを、以下の通り、
前記候補制御チャネルの組の前記集約レベルと、前記候補制御チャネルの組の前記集約レベルに対応する検索領域における前記第１の制御チャネル要素の前記位置と、前記ユーザ装置固有の識別情報と、前記アンテナ・ポートと前記候補制御チャネルの組の前記集約レベルに対応する前記検索領域における前記第１の制御チャネル要素の前記位置との間に事前に定義されたマッピング関係とに従って前記アンテナ・ポートを決定するように、
決定するように構成された
ユーザ装置。
【請求項１２】
請求項９から１１のいずれか１項に記載のユーザ装置であって、
前記ユーザ装置固有の識別情報は無線ネットワーク一時識別情報（ＲＮＴＩ）である、
ユーザ装置。
【請求項１３】
基地局であって、
候補制御チャネルの組の構成パラメータ及びユーザ装置に対応するユーザ装置固有の識別情報を事前に設定された構成に従って取得するように構成された取得ユニットであり、前記構成パラメータは前記候補制御チャネルの組の集約レベルを含む、取得ユニットと、
前記取得ユニットによって取得された前記構成パラメータ及び前記取得ユニットによって取得された前記ユーザ装置固有の識別情報に従ってアンテナ・ポートを決定するように構成された決定ユニットと、
前記決定ユニットによって決定された前記アンテナ・ポートを使用することによって、前記ユーザ装置に制御チャネル又は制御チャネル要素を送信するように構成された送信ユニットであり、前記制御チャネルは拡張された物理ダウンリンク制御チャネル（Ｅ−ＰＤＣＣＨ）であり、前記制御チャネル要素は拡張された制御チャネル要素（Ｅ−ＣＣＥ）である、送信ユニットと
を備える、基地局。
【請求項１４】
請求項１３に記載の基地局であって、
前記構成パラメータは、前記候補制御チャネルの組の前記集約レベルに対応する検索領域における第１の制御チャネルのシーケンス番号をさらに含み、
前記決定ユニットは、前記取得ユニットによって取得された前記構成パラメータ及び前記取得ユニットによって取得された前記ユーザ装置固有の識別情報に従ってアンテナ・ポートを、以下の通り、
前記候補制御チャネルの組の前記集約レベルと、前記候補制御チャネルの組の前記集約レベルに対応する前記検索領域における前記第１の制御チャネル要素の前記位置と、前記ユーザ装置固有の識別情報とに従って前記アンテナ・ポートを決定するように、
決定するように構成された、
基地局。
【請求項１５】
請求項１４に記載の基地局であって、
前記決定ユニットは、前記取得ユニットによって取得された前記構成パラメータ及び前記取得ユニットによって取得された前記ユーザ装置固有の識別情報に従ってアンテナ・ポートを、以下の通り、
前記候補制御チャネルの組の前記集約レベルと、前記候補制御チャネルの組の前記集約レベルに対応する検索領域における前記第１の制御チャネル要素の前記位置と、前記ユーザ装置固有の識別情報と、前記アンテナ・ポートと前記候補制御チャネルの組の前記集約レベルに対応する前記検索領域における前記第１の制御チャネル要素の前記位置との間に事前に定義されたマッピング関係とに従って前記アンテナ・ポートを決定するように、
決定するように構成された
基地局。
【請求項１６】
請求項１３または１５に記載の基地局であって、
前記ユーザ装置固有の識別情報は無線ネットワーク一時識別情報（ＲＮＴＩ）である、
基地局。
【請求項１７】
プログラムが記録されたコンピュータ可読記憶媒体であって、前記プログラムは、請求項１から８のいずれか１項に記載の方法をコンピュータに実行させる、記憶媒体。
【発明の詳細な説明】
【技術分野】
【０００１】
本発明は、通信分野に関し、特に制御チャネル・リソース送信方法、ユーザ装置、及び基地局に関する。
【背景技術】
【０００２】
ロング・ターム・エボリューション（Ｌｏｎｇ  Ｔｅｒｍ  Ｅｖｏｌｕｔｉｏｎ：ＬＴＥ）リリース８／９／１０の通信システムのダウンリンク送信において、ｅＮＢ（ｅｖｏｌｖｅｄ  Ｎｏｄｅ  Ｂａｓｅ：進化型ノードＢ）などの基地局は、ＰＤＳＣＨ（Ｐｈｙｓｉｃａｌ  Ｄｏｗｎｌｉｎｋ  Ｓｈａｒｅｄ  Ｃｈａｎｎｅｌ：物理ダウンリンク共有チャネル）及び対応するＰＤＣＣＨ（Ｐｈｙｓｉｃａｌ  Ｄｏｗｎｌｉｎｋ  Ｃｏｎｔｒｏｌ  Ｃｈａｎｎｅｌ：物理ダウンリンク制御チャネル）をスケジューリング結果に従って各スケジュールされたユーザ装置に送信する。
【０００３】
ＰＤＳＣＨは、スケジュールされたユーザ装置にｅＮＢによって送信されたデータを運び、ＰＤＣＣＨは、対応するＰＤＳＣＨのスケジュール情報を運ぶ。スケジュール情報は、ＵＥに割り当てられた物理チャネル・リソース、特に使用されるＭＣＳ（Ｍｏｄｕｌａｔｉｏｎ  ａｎｄ  Ｃｏｄｅｃ  Ｓｃｈｅｍｅ：変調及び符号化方式）に関する情報などを含む。サブフレームにおいて、すべてのスケジュールされたユーザ装置のＰＤＣＣＨは一緒に多重化され、そして、ＰＤＣＣＨ領域において送信され、ＰＤＳＣＨは、ＰＤＳＣＨ領域において送信される。各ＰＤＣＣＨは、１／２／４／８個の制御チャネル要素（Ｃｏｎｔｒｏｌ  Ｃｈａｎｎｅｌ  Ｅｌｅｍｅｎｔ：ＣＣＥ）によって形成される。ＬＴＥリリース１０システムのさらなる発展型では、システム・パフォーマンスを改善するために、ＭＵ−ＭＩＭＯ（Ｍｕｌｔｉｐｌｅ  Ｕｓｅｒ  Ｍｕｌｔｉｐｌｅ  Ｉｎｐｕｔ  Ｍｕｌｔｉｐｌｅ  Ｏｕｔｐｕｔ：複数ユーザ・マルチ入力マルチ出力）及び複数セル間の協調をサポートする必要がある。これらの技術は、同時にスケジューリングされるユーザ装置の数の増加につながる。しかし、ＰＤＣＣＨの容量は制限されており、このために１つのサブフレームによってスケジューリングできるユーザ装置の数が制限される。したがって、ＰＤＣＣＨは従来技術において拡張される。すなわち、拡張されたＰＤＣＣＨ、すなわちＥ−ＰＤＣＣＨ（Ｅｎｈａｎｃｅ−Ｐｈｙｓｉｃａｌ  Ｄｏｗｎｌｉｎｋ  Ｃｏｎｔｒｏｌ  Ｃｈａｎｎｅｌ：拡張された物理ダウンリンク制御チャネル）を送信するために、一部のリソースがもともとのＰＤＳＣＨ領域から分離される。一方、ＵＥは、ＤＭＲＳ（Ｄｅｍｏｄｕｌａｔｉｏｎ  Ｒｅｆｅｒｅｎｃｅ  Ｓｉｇｎａｌ：復調パイロット）に基づいてＥ−ＰＤＣＣＨを復調することができ、これにより、ＰＤＣＣＨの容量及び同時にスケジューリングされるユーザ装置の数が増加する。各Ｅ−ＰＤＣＣＨは、ＣＣＥに類似する１／２／４／８個の論理要素によって形成され、論理要素は、Ｅ−ＣＣＥ（Ｅｎｈａｎｃｅ−Ｃｏｎｔｒｏｌ  Ｃｈａｎｎｅｌ  Ｅｌｅｍｅｎｔ：拡張された制御チャネル要素）と呼ばれる。
【０００４】
従来技術において、Ｅ−ＰＤＣＣＨが送信された後、ユーザ装置は、チャネル推定を実行するためにＤＭＲＳを使用し、Ｅ−ＰＤＣＣＨを復調する。この場合、基地局は、使用される必要のあるＤＭＲＳアンテナ・ポート番号について、ユーザ装置に動的に通知するためにＰＤＣＣＨを使用する必要がある。しかし、Ｅ−ＰＤＣＣＨを運ぶサブフレームがＰＤＣＣＨを有していない場合、ユーザ装置は、Ｅ−ＰＤＣＣＨを復調及び受信するために使用されるＤＭＲＳアンテナ・ポート番号を取得することができない。
【発明の概要】
【発明が解決しようとする課題】
【０００５】
本発明の実施形態は、制御チャネル・リソース送信方法、ユーザ装置、及び基地局を提供し、これにより、ユーザ装置は、取得されたパラメータに従ってアンテナ・ポートを決定することが可能になり、それによってユーザ装置は、基地局によって送信された制御チャネル又は制御チャネル要素を正しく復調及び受信できることが保証される。
【課題を解決するための手段】
【０００６】
前述の目的を達成するために、本発明の実施形態では以下の技術的解決策が使用される。
【０００７】
一態様によると、
事前に設定されたプロトコル及び／又は基地局によって送信された上位レイヤ・シグナリングに従って候補制御チャネルの組における構成パラメータを取得する取得ステップであり、上位レイヤ・シグナリングは、構成パラメータを通知するために使用される、取得ステップと、
構成パラメータに従ってアンテナ・ポートを決定する決定ステップと、
アンテナ・ポートを使用することによって、基地局によって送信された制御チャネル又は制御チャネル要素を受信する受信ステップと
を含む制御チャネル・リソース送信方法が提供される。
【０００８】
一態様によると、
事前に設定されたプロトコル及び／又はユーザ装置に送信された上位レイヤ・シグナリングに従って候補制御チャネルの組における構成パラメータを取得する取得ステップであり、上位レイヤ・シグナリングは、構成パラメータを通知するために使用される、取得ステップと、
取得された構成パラメータに従ってアンテナ・ポートを決定する決定ステップと、
アンテナ・ポートを使用することによって、ユーザ装置に制御チャネル又は制御チャネル要素を送信するステップと
を含む制御チャネル・リソース送信方法が提供される。
【０００９】
他の態様によると、
事前に設定されたプロトコル及び／又は基地局によって送信された上位レイヤ・シグナリングに従って候補制御チャネルの組における構成パラメータを取得するように構成された、第１取得ユニットであり、上位レイヤ・シグナリングは、構成パラメータを通知するために使用される、第１取得ユニットと、
取得ユニットによって取得された構成パラメータに従ってアンテナ・ポートを決定するように構成された第１決定ユニットと、
決定ユニットによって決定されたアンテナ・ポートを使用することによって、基地局によって送信された制御チャネル又は制御チャネル要素を受信するように構成された第１受信ユニットと
を含むユーザ装置が提供される。
【００１０】
他の態様によると、
事前に設定されたプロトコル及び／又はユーザ装置に送信された上位レイヤ・シグナリングに従って候補制御チャネルの組における構成パラメータを取得するように構成された第１取得ユニットであり、上位レイヤ・シグナリングは、構成パラメータを通知するために使用される、第１取得ユニットと、
第１取得ユニットによって取得された構成パラメータに従ってアンテナ・ポートを決定するように構成された第１決定ユニットと、
第１決定ユニットによって決定されたアンテナ・ポートを使用することによって、ユーザ装置に制御チャネル又は制御チャネル要素を送信するように構成された第１送信ユニットと
を含む基地局が提供される。
【００１１】
本発明の実施形態で提供される制御チャネル・リソース送信方法、ユーザ装置、及び基地局において、ユーザ装置は、事前に設定されたプロトコル又は基地局によって送信された上位レイヤ・シグナリングに従って候補制御チャネルの組における構成パラメータを取得し、構成パラメータに従ってアンテナ・ポートを決定し、アンテナ・ポートを使用することによって、基地局によって送信された制御チャネル又は制御チャネル要素を受信し、基地局は、アンテナ・ポートを決定するために同じ方法を使用し、アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明の実施形態では、各ユーザ装置は、対応するパラメータを使用することによって、アンテナ・ポートを決定し、決定されたアンテナ・ポートを使用することによって、制御チャネル又は制御チャネル要素を送信及び受信することが可能になる。これによって、ユーザ装置が、基地局によって送信された制御チャネル又は制御チャネル要素を正しく復調及び受信できることが保証される。
【００１２】
本発明の実施形態又は従来技術における技術的解決策についてより明確に記述するために、以下に、実施形態又は従来技術の記述に必要な添付図面を簡略的に紹介する。明らかに、以下の記述における添付図面は、単に本発明の一部の実施形態を示しているにすぎず、当業者は、創造的な労力なくこれらの添付図面から他の図を導き出すことができる。
【図面の簡単な説明】
【００１３】
【図１】本発明の一実施形態による制御チャネル・リソース送信方法を概略的に示すフローチャートである。
【図２】本発明の一実施形態による他の制御チャネル・リソース送信方法を概略的に示すフローチャートである。
【図３】本発明の一実施形態によるさらに他の制御チャネル・リソース送信方法を概略的に示すフローチャートである。
【図４】本発明の一実施形態によるさらに他の制御チャネル・リソース送信方法を概略的に示すフローチャートである。
【図５】本発明の一実施形態によるユーザ装置を概略的に示す構造図である。
【図６】本発明の一実施形態による他のユーザ装置を概略的に示す構造図である。
【図７】本発明の一実施形態による基地局を概略的に示す構造図である。
【図８】本発明の一実施形態による他の基地局を概略的に示す構造図である。
【図９】本発明の一実施形態によるさらに他の基地局を概略的に示す構造図である。
【発明を実施するための形態】
【００１４】
以下に、本発明の一実施形態の添付図面に関して、本発明の実施形態における技術的解決策について明確かつ完全に記述する。明らかに、記述された実施形態は、本発明の実施形態のすべてではなく一部分にすぎない。創造的な労力なく本発明の実施形態に基づいて、当業者によって取得されるすべての他の実施形態は、本発明の保護範囲内にある。
【００１５】
本発明の一実施形態は、制御チャネル・リソース送信方法を提供する。図１に示すように、方法は、以下のステップを含む。
【００１６】
Ｓ１０１。ユーザ装置が、事前に設定されたプロトコル及び／又は基地局によって送信された上位レイヤ・シグナリングに従って候補制御チャネルの組における構成パラメータを取得する。
【００１７】
上位レイヤ・シグナリングは、構成パラメータを通知するために使用される。
【００１８】
事前に設定されたプロトコルは、ＬＴＥプロトコルなどの既存のよく知られたプロトコル、又は基地局及びユーザ装置の構成条件に従って新しく設定されるプロトコルであり得ることに注意されたい。事前に設定されたプロトコルは、基地局及びユーザ装置の両方に知られており、リソース送信が実行される前に一様に決定される。
【００１９】
好ましくは、本発明のこの実施形態は、制御チャネルがＥ−ＰＤＣＣＨを含み、制御チャネル要素がＥ−ＣＣＥを含むことを想定して記述されるが、これは、いかなる制限として解釈されるものではない。
【００２０】
制御チャネル要素は、既存のＬＴＥシステムにおけるＰＤＣＣＨのＣＣＥ（Ｃｏｎｔｒｏｌ  Ｃｈａｎｎｅｌ  Ｅｌｅｍｅｎｔ：制御チャネル要素）であり得るか、又は制御チャネル要素は、ＲＢ（Ｒｅｓｏｕｒｃｅ  Ｂｌｏｃｋ：リソース・ブロック）、半分のＲＢ、又は他のサイズの制御チャネル要素など、他の単位を使用することによって測定され得るが、本明細書では制限されない。
【００２１】
さらに、構成パラメータは、基地局及びユーザ装置の両方によって知られ得、リソース送信が実行される前に、一様に決定することができる。たとえば、ユーザ装置は、事前に設定されたプロトコルに従って候補制御チャネルの組における集約レベル（ａｇｇｒｅｇａｔｉｏｎ  ｌｅｖｅｌ）を取得し得、集約レベルはＬによって表される。Ｌ＝１は、検索領域における１番目のＥ−ＣＣＥの位置に対応する。集約レベルは事前に選択される。ここでは、集約レベルＬ＝１が適用される。検索領域におけるＥ−ＣＣＥの位置は、事前に選択されたＮ番目のＥ−ＣＣＥであり得、ここでＮは、たとえば１番目のＥ−ＣＣＥなどＥ−ＣＣＥの総数以下であるように事前に定義される。他の例では、ユーザ装置は、また、集約レベルＬ＝４に対応する検索領域においてＥ−ＰＤＣＣＨのシーケンス番号を取得し得る。
【００２２】
Ｌに対応する検索領域は、１以上のＥ−ＰＤＣＣＨを含むことは指摘する価値がある。各Ｅ−ＰＤＣＣＨはＬ個のＥ−ＣＣＥを含み、基地局によってユーザ装置に割り当てられたＥ−ＰＤＣＣＨは、前述のＥ−ＰＤＣＣＨの１以上であり、Ｌ＝１、２、４、又は他の値である。上記は、単に構成パラメータの２つのシナリオを列挙することを意図しているが、しかし、いかなる制限として解釈されるものではない。
【００２３】
さらに、基地局は、また、上位レイヤ・シグナリングを使用することによって、ユーザ装置に構成パラメータを通知し得る。たとえば、ユーザ装置は、候補制御チャネルの組における集約レベルを取得するために上位レイヤ・シグナリングを使用し得、集約レベルはＬによって表される。他の例では、ユーザ装置は、集約レベルＬ＝４に対応する検索領域においてＥ−ＰＤＣＣＨの数を取得するために、上位レイヤ・シグナリングをさらに使用し得る。他の例では、ユーザ装置は、候補制御チャネルの組に対応する物理チャネル・リソースの位置を取得するために、上位レイヤ・シグナリングを使用し得る。上記は、単に構成パラメータの２つのシナリオを列挙することを意図しているが、しかし、いかなる制限として解釈されるものではない。
【００２４】
Ｓ１０２。ユーザ装置は、取得した構成パラメータに従ってアンテナ・ポートを決定する。
【００２５】
さらに、基地局は、ユーザ装置によって学習される、Ｅ−ＣＣＥの位置とアンテナ・ポートとのマッピング関係が基地局のものと一致することを保証するために、Ｅ−ＣＣＥの位置とアンテナ・ポートとのマッピング関係を事前に定義する必要がある。
【００２６】
Ｅ−ＣＣＥの位置は、Ｅ−ＣＣＥによって占められる物理チャネル・リソースの位置を表していることに注意されたい。具体的には、物理チャネル・リソースは、複数のＲＢペア（Ｒｅｓｏｕｒｃｅ  Ｂｌｏｃｋ  ｐａｉｒ：リソース・ブロック・ペア）に分割され得、各リソース・ブロック・ペアは、１以上のＥ−ＣＣＥを運び得る。Ｅ−ＣＣＥの位置は、リソース・ブロック・ペアにおいて、Ｅ−ＣＣＥによって占められる、物理チャネル・リソースの位置であり得、又はすべての物理チャネル・リソースにおいて、Ｅ−ＣＣＥによって占められる、物理チャネル・リソースの位置であり得る。
【００２７】
典型的に、構成パラメータは、候補制御チャネルの組における集約レベルに対応する検索領域におけるＮ番目の制御チャネル要素の位置か、又は候補制御チャネルの組における集約レベルに対応する検索領域における制御チャネルのＮ番目の制御チャネル要素の位置であり得る。
【００２８】
好ましくは、もし、集約レベルＬ＝１に対応する検索領域における１番目のＥ−ＣＣＥの位置が、シーケンス番号０に対応するならば、ユーザ装置は、アンテナ・ポートが７であると決定する。もし、Ｌ＝１に対応する検索領域における１番目のＥ−ＣＣＥの位置が、シーケンス番号１に対応するならば、ユーザ装置は、アンテナ・ポートが８であると決定する。ここで、参照信号アンテナ・ポート７及び参照信号アンテナ・ポート８は、相互に直交及び擬直交であるアンテナ・ポートであり、これは特に、以下の式で表すことができる。
ＰｏｒｔＤＭＲＳ＝［ＩｎｄｅｘｆｉｒｓｔＥ−ＣＣＥ（Ｌ＝１，ｍ＝０）ｍｏｄ  ４］＋７
ここで、ＰｏｒｔＤＭＲＳは、参照信号アンテナ・ポート番号を表し、Ｌは、集約レベルを表し、ｍは、集約レベルＬ＝１に対応する検索領域におけるｍ番目のＥ−ＰＤＣＣＨを表し、ＩｎｄｅｘｆｉｒｓｔＥ−ＣＣＥ（Ｌ＝１，ｍ＝０）は、集約レベルＬ＝１に対応する検索領域における０番目のＥ−ＰＤＣＣＨにおける１番目のＥ−ＣＣＥのシーケンス番号を表し、ｍｏｄは、モジュロ演算を表し、７は、参照信号アンテナ・ポートの開始シーケンス番号を表し、ここでｍ≧０であり、Ｌ∈｛１、２、４、８｝などのように、Ｌ∈｛１、２、４、又は他の値｝である。
【００２９】
代替的に、ユーザ装置は、事前に選択されたチャネルの組における集約レベルＬ＝１に対応する検索領域における１番目のＥ−ＣＣＥの位置に従って、参照信号アンテナ・ポートを決定する。Ｅ−ＣＣＥの位置と参照信号アンテナ・ポートとのマッピング関係は、ユーザ装置によって学習される、Ｅ−ＣＣＥの位置と参照信号アンテナ・ポートとのマッピング関係が、基地局のものと一致することを保証するために、事前に定義する必要がある。
【００３０】
代替的に、ユーザ装置は、また、候補制御チャネルの組における集約レベルＬ＝１に対応する検索領域におけるｍ番目のＥ−ＰＤＣＣＨにおける１番目のＥ−ＣＣＥの位置に従ってアンテナ・ポートを決定し得る。１番目のＥ−ＣＣＥの位置とアンテナ・ポートとのマッピング関係は、ユーザ装置によって取得され、計算の基盤として使用される、Ｅ−ＣＣＥの位置とアンテナ・ポートとのマッピング関係が、基地局のものと一致することを保証するために、事前に定義する必要がある。これはたとえば、以下の式によって表すことができる。
ＰｏｒｔＤＭＲＳ＝［ＩｎｄｅｘｆｉｒｓｔＥ−ＣＣＥ（Ｌ＝１，ｍ）ｍｏｄ  ４］＋７
ここで、ＩｎｄｅｘｆｉｒｓｔＥ−ＣＣＥ（Ｌ＝１，ｍ）は、集約レベルＬ＝１に対応する検索領域におけるｍ番目のＥ−ＰＤＣＣＨの１番目のＥ−ＣＣＥのシーケンス番号を示している。
【００３１】
代替的に、ユーザ装置は、候補制御チャネルの組における集約レベルＬに対応する検索領域における１番目のＥ−ＣＣＥの位置に従って参照信号アンテナ・ポートを決定し得る。これは以下の式によって表し得る。
ＰｏｒｔＤＭＲＳ＝［ＩｎｄｅｘｆｉｒｓｔＥ−ＣＣＥ（Ｌ，ｍ＝０）ｍｏｄ  ４］＋７
ここで、ＩｎｄｅｘｆｉｒｓｔＥ−ＣＣＥ（Ｌ，ｍ＝０）は、集約レベルＬに対応する検索領域におけるｍ番目のＥ−ＰＤＣＣＨの１番目のＥ−ＣＣＥのシーケンス番号を表す。
【００３２】
さらに代替的に、ユーザ装置は、候補制御チャネルの組における集約レベルＬに対応する検索領域におけるｍ番目のＥ−ＰＤＣＣＨの１番目のＥ−ＣＣＥの位置に従って参照信号アンテナ・ポートを決定する。これはたとえば、以下の式によって表し得る。
ＰｏｒｔＤＭＲＳ＝［ＩｎｄｅｘｆｉｒｓｔＥ−ＣＣＥ（Ｌ，ｍ）ｍｏｄ  ４］＋７
ここで、ＩｎｄｅｘｆｉｒｓｔＥ−ＣＣＥ（Ｌ，ｍ）は、集約レベルＬに対応する検索領域におけるｍ番目のＥ−ＰＤＣＣＨの１番目のＥ−ＣＣＥのシーケンス番号を表す。
【００３３】
前述の方法において列挙された集約レベルＬ＝１は一例にすぎず、集約レベルは、Ｌ＝２、４、８、又は他の値でもよいことに注意されたい。該方法で列挙された検索領域における１番目のＥ−ＣＣＥの位置は、また、検索領域における第２又は他のＥ−ＣＣＥの位置であり得る。該方法において１番目のＥ−ＣＣＥの位置に従って取得されたシーケンス番号は、サブフレーム全体におけるＥ−ＰＤＣＣＨ送信に使用されるＥ−ＣＣＥのシーケンス番号であり得るか、又はサブフレーム全体におけるプリコーディングする方法で送信されるＥ−ＰＤＣＣＨの送信に使用されるＥ−ＣＣＥのシーケンス番号であり得るか、又はＲＢペアにおけるＥ−ＰＤＣＣＨ送信に使用されるＥ−ＣＣＥのシーケンス番号、若しくはＲＢペアにおいてプリコーディングする方法で送信されるＥ−ＰＤＣＣＨの送信に使用されるＥ−ＣＣＥのシーケンス番号であり得、これは、本明細書において単に例としての役割を果たすものであり、いかなる制限として解釈されるものではない。
【００３４】
典型的に、ユーザ装置は、また、集約レベルＬ、及び／又は集約レベルＬに対応する検索領域におけるＥ−ＰＤＣＣＨのシーケンス番号ｍ、及び／又は候補制御チャネルの組に対応する物理チャネル・リソースの位置に従って参照信号アンテナ・ポートを決定し得る。たとえば、候補制御チャネルの組に対応する物理チャネル・リソースの位置は、候補制御チャネルの組に対応する物理チャネル・リソースの１番目のＲＢの位置によって表され、候補制御チャネルの組に対応する物理チャネル・リソースの１番目のＲＢの位置は、ｎ＿ＲＢによって表され、参照信号アンテナ・ポートは、ｎ＿ＲＢに従って決定される。
【００３５】
たとえば、ユーザ装置は、集約レベルＬに従って参照信号アンテナ・ポートを決定し、これはたとえば、以下の式によって表し得る。
ＰｏｒｔＤＭＲＳ＝［ｌｏｇ（Ｌ）ｍｏｄ  ４］＋７
ここで、Ｌ∈｛１，２，４，８｝であり、ｌｏｇは、２を底とする対数を取ることを表し、７は、アンテナ・ポートの開始シーケンス番号である。
【００３６】
代替的に、ユーザ装置は、集約レベルＬに対応する検索領域におけるＥ−ＰＤＣＣＨのシーケンス番号ｍに従って参照信号アンテナ・ポートを決定し、これは以下の式で表し得る。
ＰｏｒｔＤＭＲＳ＝［ｍ  ｍｏｄ  ４］＋７
ここでｍ≧０である。
【００３７】
代替的に、ユーザ装置は、候補制御チャネルの組に対応する物理チャネル・リソースの位置に従って参照信号アンテナ・ポートを決定し、これは以下の式によって表し得る。
ＰｏｒｔＤＭＲＳ＝［ｎ＿ＲＢ  ｍｏｄ  ４］＋７
ここで、ｎ＿ＲＢ≧０である。
【００３８】
さらに代替的に、ユーザ装置は、集約レベルＬ、及び集約レベルＬに対応する検索領域におけるＥ−ＰＤＣＣＨのシーケンス番号ｍに従って参照信号アンテナ・ポートを決定し、ＵＥは、対応する参照信号ポートを使用することによって、集約レベルＬに対応する検索領域におけるｍ番目のＥ−ＰＤＣＣＨ上のすべてのＥ−ＣＣＥを受信し、これはたとえば、以下の式によって表し得る。
ＰｏｒｔＤＭＲＳ＝［（ｌｏｇ（Ｌ）＋ｍ）ｍｏｄ  ４］＋７
ここで、ｍ≧０、Ｌ∈｛１，２，４，８｝であり、ｌｏｇは、２を底とする対数を取ることを表し、７はアンテナ・ポートの開始シーケンス番号である。
【００３９】
さらに代替的に、ユーザ装置は、集約レベルＬ、集約レベルＬに対応する検索領域におけるＥ−ＰＤＣＣＨのシーケンス番号ｍ、及びｎ番目のＲＢの位置に従って参照信号アンテナ・ポートを決定し、ＵＥは、対応する参照信号ポートを使用することによって、集約レベルＬに対応する検索領域におけるｍ番目のＥ−ＰＤＣＣＨ上のすべてのＥ−ＣＣＥを受信し、これはたとえば、以下の式によって表し得る。
ＰｏｒｔＤＭＲＳ＝［（ｌｏｇ（Ｌ）＋ｍ＋ｎ＿ＲＢ）ｍｏｄ  ４］＋７
ここで、ｍ≧０、ｎ＿ＲＢ≧０、Ｌ∈｛１，２，４，８｝であり、ｌｏｇは、２を底とする対数を取ることを表し、７はアンテナ・ポートの開始シーケンス番号である。
【００４０】
集約レベルＬに対応する検索領域におけるＥ−ＰＤＣＣＨのシーケンス番号ｍと参照信号アンテナ・ポートとのマッピング関係は、ユーザ装置によって学習される、集約レベルＬに対応する検索領域におけるＥ−ＰＤＣＣＨのシーケンス番号ｍと参照信号アンテナ・ポートとのマッピング関係が、基地局のものと一致することを保証するために、事前に定義する必要があることは指摘する価値がある。
【００４１】
さらに、ユーザ装置は、また、前述の２つの例の両方において列挙された方法に従って参照信号アンテナ・ポートを決定し得る。たとえば、ユーザ装置は、候補制御チャネルの組における集約レベルＬに対応する検索領域におけるｍ番目のＥ−ＰＤＣＣＨにおける１番目のＥ−ＣＣＥの位置、集約レベルＬ、及び集約レベルＬに対応する検索領域におけるＥ−ＰＤＣＣＨのシーケンス番号ｍに従って参照信号アンテナ・ポートを決定し、これは以下の式によって表し得る。
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ］ｍｏｄ  ４｝＋７
ここで、検索領域におけるｍ番目のＥ−ＰＤＣＣＨの１番目のＥ−ＣＣＥの位置におけるｍの値は、検索領域におけるＥ−ＰＤＣＣＨのシーケンス番号ｍのｍの値と同じであり、ｍ≧０であり、Ｌ∈｛１，２，４，８｝であり、ｌｏｇは、２を底とする対数を取ることを表し、７はアンテナ・ポートの開始シーケンス番号であり、ＩｎｄｅｘｆｉｒｓｔＥ−ＣＣＥ（Ｌ，ｍ＝０）は、集約レベルＬに対応する検索領域におけるｍ番目のＥ−ＰＤＣＣＨの１番目のＥ−ＣＣＥのシーケンス番号を表す。
【００４２】
上に列挙された式は、２つの例で言及した方法に従って、ユーザ装置がどのようにアンテナ・ポートを決定するかを記述するための２つの例の組み合わせ方法にすぎず、これはしかし、いかなる制限として解釈されるものではないことは指摘する価値がある。前述のいかなる組み合わせ方法を使用することによって、アンテナ・ポートを決定するためのいかなる方法は、本発明の保護範囲内にある。該方法において列挙される、Ｅ−ＣＣＥの位置とアンテナ・ポートとのマッピング関係は、また、基地局に相互に知られた他の事前に定義されたマッピング方法であり得、これはいかなる制限として解釈されるものではない。
【００４３】
Ｓ１０３。ユーザ装置は、アンテナ・ポートを使用することによって、基地局によって送信された制御チャネル又は制御チャネル要素を受信する。
【００４４】
典型的に、ユーザ装置は、制御チャネル要素がアンテナ・ポートを使用する状態に従って、決定されたアンテナ・ポートを使用することによって、制御チャネル要素を受信することができる。たとえば、すべての制御チャネル要素が同じアンテナ・ポートを使用するとき、候補制御チャネルの組におけるＥ−ＣＣＥなど、すべての制御チャネル要素は、上で計算したポートを使用することによって受信し得る。１つの集約レベルにおける制御チャネル要素が同じアンテナ・ポートを使用するとき、アンテナ・ポートは、異なる集約レベルに対して計算され得、各集約レベルに対応するポート上で、この集約レベルにおけるすべてのＥ−ＣＣＥを受信し得る。さらに、ｍ番目のＥ−ＰＤＣＣＨなどの各集約レベルにおけるｍ番目の制御チャネルにおいてすべての制御チャネル要素が同じアンテナ・ポートを使用するとき、アンテナ・ポートは、各集約レベルにおけるｍ番目のＥ−ＰＤＣＣＨに対して計算され得、そして、Ｅ−ＰＤＣＣＨ上のＥ−ＣＣＥは、各集約レベルにおけるｍ番目のＥ−ＰＤＣＣＨに対応するアンテナ・ポートを使用することによって受信される。Ｌ番目の集約レベルにおけるｍ番目のＥ−ＰＤＣＣＨにおけるすべての制御チャネル要素が同じアンテナ・ポートを使用するとき、アンテナ・ポートは、また、Ｌ番目の集約レベルにおけるｍ番目のＥ−ＰＤＣＣＨに対して計算され得、そして、Ｌ番目の集約レベルにおけるｍ番目のＥ−ＰＤＣＣＨは、Ｌ番目の集約レベルにおけるｍ番目のＥ−ＰＤＣＣＨに対応するポートを使用することによって受信される。ここで、ｍは、この集約レベルにおける制御チャネルの総数以下である。
【００４５】
本発明のこの実施形態では、ユーザ装置によって、基地局によって送信された制御チャネル又は制御チャネル要素を受信する受信ステップは、ユーザ装置によって、決定された制御チャネルの検索領域におけるブラインド検出を実行するステップと、ユーザ装置の制御チャネルを検出した後に制御チャネルを受信する受信ステップとを含み得ることに注意されたい。また、制御チャネルを受信した後、ユーザ装置は、制御チャネルで運ばれた制御シグナリングに従って、制御シグナリングにおいて示されたデータ・チャネルを使用することによって、データを送受信し得ることが理解されるであろう。
【００４６】
本発明のこの実施形態で提供される制御チャネル・リソース送信方法では、ユーザ装置は、事前に設定されたプロトコル又は基地局によって送信された上位レイヤ・シグナリングに従って候補制御チャネルの組における構成パラメータを取得し、構成パラメータに従ってアンテナ・ポートを決定し、該アンテナ・ポートを使用することによって、基地局によって送信された制御チャネル又は制御チャネル要素を受信し、基地局は、アンテナ・ポートを決定するために同じ方法を使用し、該アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送信及び受信することが可能になる。これによって、ユーザ装置が基地局によって送信された制御チャネル又は制御チャネル要素を正しく復調及び受信できることが保証される。
【００４７】
本発明の他の実施形態では、制御チャネル・リソース送信方法が提供される。本実施形態では、制御チャネルがＥ−ＰＤＣＣＨであり、制御チャネル要素がＥ−ＣＣＥであることが例として使用されているが、これはしかし、いかなる制限として解釈されるものではない。図２に示すように、該方法は、以下のステップを含む。
【００４８】
Ｓ２０１。ユーザ装置が、事前に設定されたプロトコル又は基地局によって送信される上位レイヤ・シグナリングに従って候補制御チャネルの組における構成パラメータを取得する。
【００４９】
典型的に、ユーザ装置は、候補制御チャネルの組における集約レベル、及び集約レベルに対応する検索領域におけるＥ−ＰＤＣＣＨのＮ番目のＥ−ＣＣＥを取得し得る。代替的に、ユーザ装置は、集約レベルＬ、集約レベルＬに対応する検索領域におけるＥ−ＰＤＣＣＨのシーケンス番号ｍ、又は候補制御チャネルの組に対応する物理チャネル・リソースの位置を取得し得る。たとえば、１番目のＲＢペアのシーケンス番号は、Ｎ−ＲＢによって表される。さらに代替的に、ユーザ装置は、事前に選択された集約レベルに対応する検索領域又はＥ−ＰＤＣＣＨ上のｎ番目のＥ−ＣＣＥの位置を取得し、構成パラメータとして前述のパラメータのいくつかを取得し、ここでＮは、集約レベルに対応する検索領域におけるＥ−ＰＤＣＣＨ上のＥ−ＣＣＥの総数以下である。ｍ番目のＥ−ＰＤＣＣＨのシーケンス番号は一般的にｍであり、ｍ≧０であり、集約レベルＬに対応する検索領域におけるＥ−ＰＤＣＣＨの総数以下である。
【００５０】
Ｓ２０２。ユーザ装置は、基地局によって送信されたセル固有の識別情報及び／又はユーザ装置固有の識別情報を受信し、及び／又はユーザ装置によって事前に設定されたＲＢペアを取得する。
【００５１】
典型的に、セル固有の識別情報は、セルＩＤ（Ｉｄｅｎｔｉｔｙ：識別情報）など、ユーザが属するセルのセル固有の識別情報であり得る。ユーザ装置固有の識別情報は、シグナリングを使ってユーザ装置に通知される特定の識別情報Ｙ、又はＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別情報）など他のユーザ装置固有の識別情報、又はＤＭＲＳシーケンスを生成するためにユーザ装置によって使用される参照識別情報、又はＤＭＲＳシーケンスを生成するためにユーザ装置によって使用されるスクランブル・コードＩＤであり得、ここで、ＤＭＲＳシーケンスは
（外１）
0005955988.tif 000002
に従って生成され、ここで、ｃｉｎｉｔは、シーケンス初期化シードであり、ｎＳは、タイム・スロットのシーケンス番号であり、Ｘは、参照識別情報であり、ｎＳＣＩＤは、スクランブル・コードＩＤである。上述の識別情報はすべて、ユーザ装置のために取得される特定の識別情報である。
【００５２】
さらに、ＲＢペアの事前に設定されたシーケンス番号が、ユーザ装置によって知られており、ユーザ装置から取り出される必要があるのみである。
【００５３】
ステップＳ２０１とステップＳ２０２との間に順序関係はなく、Ｓ２０１は、Ｓ２０２の前又は後に実行され得るか、又は２つのステップは同時に実行され得ることは指摘する価値がある。
【００５４】
Ｓ２０３。ユーザ装置は、構成パラメータ、及びセル固有の識別情報、及び／又はユーザ装置固有の識別情報、及び／又はＲＢペアのシーケンス番号に従ってアンテナ・ポートを決定する。
【００５５】
好ましくは、ユーザ装置は、構成パラメータ、及びセル固有の識別情報、及び／又はユーザ装置固有の識別情報、及び／又はリソース・ブロック・ペアのシーケンス番号に従ってアンテナ・ポートを決定し、これらは、以下の式を使用することによってユーザ装置によって表され得る。
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋Ｙ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋ＲＮＴＩ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋ｃｅｌｌ＿ｉｄ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋ＲＢ＿ｉｄ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋Ｙ＋ｃｅｌｌ＿ｉｄ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋ｃｅｌｌ＿ｉｄ＋ＲＢ＿ｉｄ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋Ｙ＋ＲＢ＿ｉｄ］ｍｏｄ  ４｝＋７
又は
ＰｏｒｔＤＭＲＳ＝｛［ＩｎｄｅｘｆｉｒｓｔＥ−ＣＣＥ（Ｌ，ｍ＝０）＋ｌｏｇ（Ｌ）＋ｍ＋Ｙ＋ｃｅｌｌ＿ｉｄ＋ＲＢ＿ｉｄ］ｍｏｄ  ４｝＋７
【００５６】
典型的に、前述の式では、Ｙは、ユーザ装置固有の識別情報を表し、これは、ＲＮＴＩなど、シグナリングを使ってユーザ装置に通知されるユーザ装置固有の識別情報、又はＤＭＲＳシーケンスを生成するためにユーザ装置によって使用される参照識別情報、又はＤＭＲＳシーケンスを生成するためにユーザ装置によって使用されるスクランブル・コードＩＤであり得る。ｃｅｌｌ＿ｉｄは、セル固有の識別情報である。ＲＢ＿ｉｄは、リソース・ブロック・ペアのシーケンス番号である。
【００５７】
ユーザ装置は、式に列挙した一部のパラメータのみを使用することによって参照信号アンテナ・ポートを決定し得、上に列挙した方法は単なる例であり、いかなる制限として解釈されるものではないことに注意されたい。
【００５８】
典型的に、各ユーザ装置について、基地局は、ユーザ装置に対して１以上のリソースの組を構成する。リソースの組は、局所的な（ｌｏｃａｌｉｚｅｄ）リソースの組及び分散された（ｄｉｓｔｒｉｂｕｔｅｄ）リソースの組に分類される。１つのユーザ装置の１つの集約レベルに対応するＥ−ＰＤＣＣＨについて、Ｅ−ＰＤＣＣＨは、局所的なリソースの組の異なる構成において１つの物理リソース・ブロックＰＲＢペアにおいて同じ開始位置を有するが、異なる参照信号アンテナ・ポートを使用する。これにより、１つのＰＲＢペア又は１つの同じリソースにおける異なるユーザの参照信号アンテナ・ポート間の衝突を減らすことができる。具体的には、局所的なリソースの組の１つにおいて、ユーザ装置に対応する参照信号アンテナ・ポートは、Ｉｎｄｅｘｓｅｔの関数であり得る。さらに、関数のパラメータは、ＩｎｄｅｘＥＣＣＥ、Ｘ、Ｌ、及びｃｅｌｌ＿ｉｄの少なくとも１つを含み得る。以下に例を示す。
ＰｏｒｔＤＭＲＳ＝ｆ（Ｉｎｄｅｘｓｅｔ）、又は
（外２）
0005955988.tif 000003
、又は
ＰｏｒｔＤＭＲＳ＝（ＩｎｄｅｘＥＣＣＥ＋（Ｘ＋Ｉｎｄｅｘｓｅｔ）ｍｏｄ  Ｎ）ｍｏｄ  Ｓ＋１０７、又は
ＰｏｒｔＤＭＲＳ＝（ＩｎｄｅｘＥＣＣＥ＋（Ｘ＋Ｉｎｄｅｘｓｅｔ＋ｌｏｇ２（Ｌ））ｍｏｄ  Ｎ）ｍｏｄ  Ｓ＋１０７、又は
ＰｏｒｔＤＭＲＳ＝ｆ（ＩｎｄｅｘＥＣＣＥ＋（Ｘ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ＋ｌｏｇ２（Ｌ））ｍｏｄ（２×Ｎ））ｍｏｄ  Ｓ＋１０７、又は
ＰｏｒｔＤＭＲＳ＝（２×ＩｎｄｅｘＥＣＣＥ＋（Ｘ＋Ｉｎｄｅｘｓｅｔ）ｍｏｄ（２×Ｎ））ｍｏｄ  Ｓ＋１０７、又は
ＰｏｒｔＤＭＲＳ＝（２×ＩｎｄｅｘＥＣＣＥ＋（Ｘ＋Ｉｎｄｅｘｓｅｔ＋ｌｏｇ２（Ｌ））ｍｏｄ（２×Ｎ））ｍｏｄ  Ｓ＋１０７
【００５９】
典型的に、１つのユーザ装置の１つの集約レベルに対応し、ＰＲＢペアに同じ開始位置を有する局所的なＥ−ＰＤＣＣＨについて、異なるＸ値は、異なる参照信号アンテナ・ポートに対応する。以下に例を挙げる。
ＰｏｒｔＤＭＲＳ＝ｆ（Ｘ）、又は
ＰｏｒｔＤＭＲＳ＝ｆ（Ｘ１，Ｘ２，．．．，ＸＨ）、又は
ＰｏｒｔＤＭＲＳ＝（ＩｎｄｅｘＥＣＣＥ＋（Ｘ１＋Ｘ２）ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２）ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋Ｉｎｄｅｘｓｅｔ）ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋Ｉｎｄｅｘｓｅｔ）ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋Ｉｎｄｅｘｓｅｔ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋Ｉｎｄｅｘｓｅｔ＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｙｋ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｙｋ＋Ｉｎｄｅｘｓｅｔ＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｙｋ＋ｃｅｉｌ（Ｌ／Ｔ））ｍｏｄ  Ｎ）ｍｏｄ  Ｓ＋１０７、又は
ＰｏｒｔＤＭＲＳ＝（２×ＩｎｄｅｘＥＣＣＥ＋（Ｙｋ＋Ｉｎｄｅｘｓｅｔ＋ｃｅｉｌ（Ｌ／Ｔ））ｍｏｄ（２×Ｎ））ｍｏｄ  Ｓ＋１０７
【００６０】
典型的に、ＰＲＢペアの利用可能な参照信号アンテナ・ポートの数がＲであるとき、１つのＥ−ＰＤＣＣＨの局所的なリソースの組において、その集約レベルがＺ以上であるユーザ装置のＥ−ＰＤＣＣＨは、１つの参照信号アンテナ・ポートに対応し、異なるユーザのＥ−ＰＤＣＣＨは、異なる参照信号アンテナ・ポートに対応し得、異なる参照信号アンテナ・ポートの数はＲより小さい。
【００６１】
さらに、１つのＥ−ＰＤＣＣＨの局所的なリソースの組において、その集約レベルがＴ以上であるユーザ装置のＥ−ＰＤＣＣＨに対応する参照信号アンテナ・ポートは、参照信号アンテナ・ポートの組１又は参照信号アンテナ・ポートの組２に属し、参照信号アンテナ・ポートの組１又は２に含まれる参照信号アンテナ・ポートの数はＲより小さい。
【００６２】
さらに、１つのユーザ装置について、Ｗ及び／又はＶの値が、当該集約レベルにおけるＥ−ＰＤＣＣＨに対応する参照信号アンテナ・ポートを決定する。さらに、Ｗの値が、集約レベルにおけるＥ−ＰＤＣＣＨに対応する参照信号アンテナ・ポートが参照信号アンテナ・ポートの組１又は２に属するかどうかを決定する。さらに、１つのユーザ装置について、Ｖの値が、参照信号アンテナ・ポートの組から選択された参照信号アンテナ・ポートが当該集約レベルにおけるＥ−ＰＤＣＣＨに対応する参照信号アンテナ・ポートであることを決定し、Ｗ及びＶは、ユーザ装置の基地局によって構成された識別情報を示し、Ｉｎｄｅｘｓｅｔ又はＸであり得る。
【００６３】
具体的には、もし、ＰＲＢペアに含まれるＥ−ＣＣＥの数が４であるならば、Ｚの値は４であり、Ｒの値は４である。１つのユーザ装置について、４より大きい集約レベルにおけるＥ−ＰＤＣＣＨに対応する参照信号アンテナ・ポートは、参照信号アンテナ・ポートの組１又は２に属し、集約レベルはユーザ装置に対応する。対応する参照信号アンテナ・ポートは、Ｗ及び／又はＶに従って決定される。
【００６４】
オプション的に、参照信号アンテナ・ポートの組１は、｛参照信号アンテナ・ポート１０７、参照信号アンテナ・ポート１０９｝を含み、かつ参照信号アンテナ・ポートの組２は、｛参照信号アンテナ・ポート１０８、参照信号アンテナ・ポート１１０｝を含み、又は参照信号アンテナ・ポートの組１は、｛参照信号アンテナ・ポート１０７、参照信号アンテナ・ポート１１０｝を含み、かつ参照信号アンテナ・ポートの組２は、｛参照信号アンテナ・ポート１０８、参照信号アンテナ・ポート１０９｝を含み、又は参照信号アンテナ・ポートの組１は、｛参照信号アンテナ・ポート１０７、参照信号アンテナ・ポート１０８｝を含み、かつ参照信号アンテナ・ポートの組２は、｛参照信号アンテナ・ポート１０９、参照信号アンテナ・ポート１１０｝を含む。
【００６５】
通常のサイクリック・プレフィックス・サブフレームについて、Ｓ＝４である。拡張されたサイクリック・プレフィックス・サブフレームについて、Ｓ＝２である。Ｎは、ＰＲＢペアにおけるＥ−ＰＤＣＣＨのＥＣＣＥの数であり、ＩｎｄｅｘＥＣＣＥは、ＰＲＢペアにおけるＥ−ＰＤＣＣＨの開始Ｅ−ＣＣＥのシーケンス番号又はシーケンス番号情報である。Ｉｎｄｅｘｓｅｔは、リソースの組のシーケンス番号又はシーケンス番号情報又はリソースの組の特定のパラメータである。ｃｅｌｌ＿ｉｄは、セル固有の識別情報又は仮想のセル固有の識別情報である。Ｌは、集約レベルである。Ｔは、ＰＲＢペアに含まれるＥＣＣＥの数である。
【００６６】
Ｘは、ユーザ装置固有のパラメータを表し、ＲＮＴＩ（無線ネットワーク一時識別情報）などのユーザ装置固有の識別情報、又はＤＭＲＳシーケンスを生成するためにユーザ装置によって使用される参照識別情報、又はＤＭＲＳシーケンスを生成するためにユーザ装置によって使用されるスクランブル・コードＩＤ、又は制御チャネルの検索領域に対応するＣＣＥの位置を生成するための初期設定パラメータＹｋであり得、Ｙｋ＝（Ａ・Ｙｋ−１）ｍｏｄ  Ｄであり、その意味は、３ＧＰＰ  ３６．２１３  Ｖ１０．６．０（物理チャネル及び変調、リリース１０）の第９．１．１章「ＰＤＣＣＨ割り当て手順（ＰＤＣＣＨ  Ａｓｓｉｇｎｍｅｎｔ  Ｐｒｏｃｅｄｕｒｅ）」に詳述されており、Ｙｋの式の特定の形は、３ＧＰＰ  ３６．２１３の新しいバージョンの定義の更新に従って更新され得る。Ｘ１、Ｘ２、及びＸＨは、上に記載したＸの識別情報の特定の例であり、Ｈは２以上である。
【００６７】
典型的に、表１から表４は、参照信号アンテナ・ポートを選択するための具体的な方法を記載している。サポートされる異なる集約レベルに応じて、参照信号アンテナ・ポートの選択は、表の特定の行の中にあり得る。表１に示すように、第１ユーザ装置の第１集約レベル１について、ＩｎｄｅｘＥＣＣＥ＝ｅのとき、Ｅ−ＰＤＣＣＨに対して選択される参照信号アンテナ・ポートは１０７であり、ＩｎｄｅｘＥＣＣＥ＝ｆのとき、Ｅ−ＰＤＣＣＨに対して選択される参照信号アンテナ・ポートは１０８であり、ＩｎｄｅｘＥＣＣＥ＝ｇのとき、Ｅ−ＰＤＣＣＨに対して選択される参照信号アンテナ・ポートは１０９であり、ＩｎｄｅｘＥＣＣＥ＝ｋのとき、Ｅ−ＰＤＣＣＨに対して選択される参照信号アンテナ・ポートは１１０である、というように続く。ここで、ｅ、ｆ、ｇ、及びｋは、たとえば、０、１、２、３、及び４の任意の１つの値など、ＩｎｄｅｘＥＣＣＥの特定の値である。
【００６８】
【表１】
0005955988.tif 000004
【００６９】
【表２】
0005955988.tif 000005
【００７０】
【表３】
0005955988.tif 000006
【００７１】
【表４】
0005955988.tif 000007
【００７２】
Ｓ２０４。ユーザ装置は、アンテナ・ポートを使用することによって、基地局によって送信された制御チャネル又は制御チャネル要素を受信する。
【００７３】
好ましくは、ユーザ装置が、候補制御チャネルの組又はＥ−ＰＤＣＣＨにおける検索領域における１番目のＥ−ＣＣＥの位置に従って参照信号アンテナ・ポートを決定するとき、対応するＥ−ＰＤＣＣＨ又はＥ−ＣＣＥは、対応する信号ポートに従って受信し得る。
【００７４】
典型的に、ユーザ装置が、候補制御チャネルの組における集約レベルＬ＝１に対応する検索領域における１番目のＥ−ＣＣＥの位置に従ってアンテナ・ポートを決定するとき、候補制御チャネルの組におけるすべてのＥ−ＣＣＥは、アンテナ・ポートを使用することによって受信され得る。
【００７５】
ユーザ装置が、候補制御チャネルの組における集約レベルＬ＝１に対応する検索領域におけるｍ番目のＥ−ＰＤＣＣＨの１番目のＥ−ＣＣＥの位置に従ってアンテナ・ポートを決定するとき、候補制御チャネルの組における各集約レベルにおけるｍ番目のＥ−ＰＤＣＣＨは、ｍ番目のＥ−ＰＤＣＣＨに従って決定されたアンテナ・ポートを使用することによって別々に受信され得る。
【００７６】
前述の復調方法とこの方法との違いは、集約レベルＬに対応する検索領域におけるＥ−ＰＤＣＣＨが、異なるアンテナ・ポートに対応し得ることであることに注意されたい。
【００７７】
ユーザ装置が、候補制御チャネルの組における集約レベルＬに対応する検索領域における１番目のＥ−ＣＣＥの位置に従ってアンテナ・ポートを決定するとき、候補制御チャネルの組における集約レベルＬにおけるすべてのＥ−ＣＣＥは、集約レベルＬに対応するアンテナ・ポートを使用することによって別々に受信し得る。
【００７８】
ユーザ装置が、候補制御チャネルの組における集約レベルＬに対応する検索領域におけるｍ番目のＥ−ＰＤＣＣＨの１番目のＥ−ＣＣＥの位置に従ってアンテナ・ポートを決定するとき、候補制御チャネルの組における集約レベルＬにおけるｍ番目のＥ−ＰＤＣＣＨ上のすべてのＥ−ＣＣＥは、集約レベルＬにおけるｍ番目のＥ−ＰＤＣＣＨに対応するアンテナ・ポートを使用することによって受信され得る。
【００７９】
好ましくは、ユーザ装置が、集約レベルＬ及び／又は集約レベルＬに対応する検索領域におけるＥ−ＰＤＣＣＨのシーケンス番号ｍに従ってアンテナ・ポートを決定するとき、対応するＥ−ＰＤＣＣＨ又はＥ−ＣＣＥは、アンテナ・ポートに従って受信され得る。
【００８０】
典型的に、ユーザ装置が、集約レベルＬに従ってアンテナ・ポートを決定するとき、集約レベルＬにおけるすべてのＥ−ＣＣＥは、集約レベルＬに対応するアンテナ・ポートを使用することによって受信され得る。
【００８１】
ユーザ装置が、集約レベルＬに対応する検索領域におけるＥ−ＰＤＣＣＨのシーケンス番号ｍに従ってアンテナ・ポートを決定するとき、集約レベルＬに対応する検索領域におけるｍ番目のＥ−ＰＤＣＣＨ上のすべてのＥ−ＣＣＥは、対応するアンテナ・ポートを使用することによって受信され得る。
【００８２】
ユーザ装置が、集約レベルＬ、及び集約レベルＬに対応する検索領域におけるＥ−ＰＤＣＣＨのシーケンス番号ｍに従ってアンテナ・ポートを決定するとき、集約レベルＬに対応する検索領域におけるｍ番目のＥ−ＰＤＣＣＨ上のすべてのＥ−ＣＣＥは、対応するアンテナ・ポートを使用することによって受信され得る。
【００８３】
好ましくは、ユーザ装置が、前述の２つの好ましい解決策に従ってアンテナ・ポートを決定するだけでなく、ユーザ装置固有の識別情報及び／又はリソース・ブロック・ペアのシーケンス番号に従ってアンテナ・ポートを決定をもするとき、対応するアンテナ・ポートは、同じ集約レベル又は異なる集約レベルで同じＥ−ＰＤＣＣＨ又は異なるＥ−ＰＤＣＣＨ上でＥ−ＣＣＥを受信するために、前述の解決策の異なる構成パラメータに従って選択され得る。対応する詳細な方法については上述されているため、本明細書ではそれ以上繰り返さない。
【００８４】
本発明のこの実施形態で提供される制御チャネル・リソース送信方法では、ユーザ装置は、事前に設定されたプロトコル又は基地局によって送信される上位レイヤ・シグナリングに従って候補制御チャネルの組における構成パラメータを取得し、構成パラメータに従ってアンテナ・ポートを決定し、該アンテナ・ポートを使用することによって、基地局によって送信された制御チャネル又は制御チャネル要素を受信し、基地局は、アンテナ・ポートを決定するために同じ方法を使用し、該アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送受信することが可能になる。これによって、ユーザ装置が、基地局によって送信された制御チャネル又は制御チャネル要素を正しく復調及び受信できることが保証される。
【００８５】
本発明のさらに他の実施形態では、制御チャネル・リソース送信方法を提供する。図３に示すように、この方法は以下のステップを含む。
【００８６】
Ｓ３０１。基地局は、事前に設定されたプロトコル及び／又はユーザ装置に送信された上位レイヤ・シグナリングに従って候補制御チャネルの組における構成パラメータを取得する。
【００８７】
上位レイヤ・シグナリングは、構成パラメータを通知するために使用される。
【００８８】
事前に設定されたプロトコルは、基地局及びユーザ装置の両方に知られており、基地局は、ユーザ装置のものと同じ方法で構成パラメータを取得することができることに注意されたい。構成パラメータは、ユーザ装置によって取得されるものと同じであり、前述の実施形態に記述されているため、本明細書ではそれ以上繰り返さない。
【００８９】
Ｓ３０２。基地局は、取得された構成パラメータに従ってアンテナ・ポートを決定する。
【００９０】
アンテナ・ポートを決定するために、基地局が構成パラメータを取得し、対応する方法を使用した後、ユーザ装置は、アンテナ・ポートを決定するために、同じポリシー、同じ構成パラメータ、及び同じ方法を使用することに注意されたい。したがって、基地局によって構成パラメータを決定するための方法は、ユーザ装置によってアンテナ・ポートを決定するための方法と同じである。ユーザ装置によってアンテナ・ポートを決定するための方法は、決定を実行するために適用することができる。すなわち、前述の実施形態における関連する記述は、この実施形態に適用可能であり、本明細書ではそれ以上繰り返さない。
【００９１】
Ｓ３０３。基地局は、該アンテナ・ポートを使用することによって、ユーザ装置に制御チャネル又は制御チャネル要素を送信する。
【００９２】
典型的に、基地局は、アンテナ・ポートを使用することによって、ユーザ装置にＥ−ＰＤＣＣＨ又はＥ−ＣＣＥを送信し得る。
【００９３】
さらに、Ｅ−ＣＣＥがアンテナ・ポートを使用する状態に従って、基地局は、Ｅ−ＣＣＥを送信するためのポートを決定する。たとえば、候補制御チャネルの組におけるすべてのＥ−ＣＣＥが同じアンテナ・ポートを使用する場合、候補制御チャネルの組におけるすべてのＥ−ＣＣＥは、決定されたアンテナ・ポートを使用することによって送信される。
【００９４】
本発明のこの実施形態で提供される制御チャネル・リソース送信方法では、ユーザ装置は、事前に設定されたプロトコル又は基地局によって送信される上位レイヤ・シグナリングに従って候補制御チャネルの組における構成パラメータを取得し、該構成パラメータに従ってアンテナ・ポートを決定し、該アンテナ・ポートを使用することによって、基地局によって送信された制御チャネル又は制御チャネル要素を受信する。基地局は、該アンテナ・ポートを決定するために同じ方法を使用し、該アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送受信することが可能になる。これによって、ユーザ装置が、基地局によって送信された制御チャネル又は制御チャネル要素を正しく復調及び受信できることが保証される。
【００９５】
本発明のさらに他の実施形態では、制御チャネル・リソース送信方法を提供する。以下を例として使用する。制御チャネルは、Ｅ−ＰＤＣＣＨであり、制御チャネル要素はＥ−ＣＣＥである。図４に示すように、方法は以下のステップを含む。
【００９６】
Ｓ４０１。基地局は、ユーザ装置に上位レイヤ・シグナリングを送信する。
【００９７】
上位レイヤ・シグナリングは、構成パラメータを通知するために使用される。
【００９８】
Ｓ４０２。基地局は、事前に設定されたプロトコル又はユーザ装置に送信された上位レイヤ・シグナリングに従って候補制御チャネルの組における構成パラメータを取得する。
【００９９】
典型的に、基地局によって取得された構成パラメータは、候補制御チャネルの組における事前に設定された集約レベルに対応する検索領域におけるＮ番目のＥ−ＣＣＥであり得る。たとえば、集約レベルＬ＝１は、検索領域における１番目のＥ−ＣＣＥ又は３番目のＥ−ＣＣＥの位置に対応する。
【０１００】
基地局によって取得された構成パラメータは、また、候補制御チャネルの組における集約レベルに対応する検索領域におけるＮ番目の制御チャネル要素の位置であり得、ここでＮは、検索領域における制御チャネル要素の総数以下であるか、又は候補制御チャネルの組における集約レベルに対応する検索領域における制御チャネルのＮ番目の制御チャネル要素の位置であり得、ここでＮは、制御チャネルの制御チャネル要素の総数以下である。
【０１０１】
さらに、基地局によって取得された構成パラメータは、候補制御チャネルの組における事前に選択された集約レベル、若しくはｍなどの事前に選択された集約レベルに対応する検索領域における事前に選択されたＥ−ＰＤＣＣＨのシーケンス番号、又はｎ＿ＲＢなどの候補制御チャネルの組に対応する物理チャネル・リソースの位置であり得る。
【０１０２】
さらに、基地局によって取得された構成パラメータは、また、前述の構成パラメータの１以上であり得る。たとえば、構成パラメータは、候補制御チャネルの組における検索領域又は検索領域におけるＥ−ＰＤＣＣＨ上の１番目のＥ−ＣＣＥ、候補制御チャネルの組における事前に選択された集約レベルＬ、事前に選択された集約レベルＬに対応する検索領域におけるＥ−ＰＤＣＣＨのシーケンス番号ｍ、及び候補制御チャネルの組における１番目のＲＢなどである。
【０１０３】
Ｓ４０３。基地局は、ユーザ装置に従ってセル固有の識別情報及び／又はユーザ装置固有の識別情報を取得し、及び／又は相互に知られているルールに従ってＲＢペアのシーケンス番号を取得し、シーケンス番号は、ユーザ装置によって事前に設定される。
【０１０４】
典型的に、基地局は、ＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別情報）などのユーザ装置固有の識別情報Ｙ、およびセルＩＤ（Ｉｄｅｎｔｉｔｙ：識別情報）などの、ユーザにサービスを提供するセルのセル固有の識別情報を取得し得る。ユーザ装置に固有で、基地局によって取得され、ユーザ装置に送信される特定の識別情報Ｙは、ユーザ装置によって受信されるユーザ装置固有の識別情報Ｙと同じであり、本明細書ではそれ以上繰り返さないことに注意されたい。
【０１０５】
さらに、ＲＢペアの事前に設定されたシーケンス番号は、基地局によって知られており、基地局から取り出される必要があるだけである。
【０１０６】
ステップＳ４０２とステップＳ４０３との間に順序関係はなく、２つのステップは、逆順又は同時に実行され得ることに注意されたい。
【０１０７】
Ｓ４０４。基地局は、構成パラメータ、セル固有の識別情報、及び／又はユーザ装置固有の識別情報、及び／又はＲＢペアのシーケンス番号に従ってアンテナ・ポートを決定する。
【０１０８】
典型的に、各ユーザ装置について、基地局は、ユーザ装置に対して１以上のリソースの組を構成する。リソースの組は、局所的な（ｌｏｃａｌｉｚｅｄ）リソースの組及び分散された（ｄｉｓｔｒｉｂｕｔｅｄ）リソースの組に分類される。１つのユーザ装置の１つの集約レベルに対応するＥ−ＰＤＣＣＨについて、Ｅ−ＰＤＣＣＨは、局所的なリソースの組の異なる構成におけるＰＲＢペアにおける同じ開始位置を有するが、異なる参照信号アンテナ・ポートを使用する。これにより、１つのＰＲＢペア又は同じリソースにおける異なるユーザの参照信号アンテナ・ポート間の衝突を減らすことができる。具体的には、局所的なリソースの組の１つにおいて、ユーザ装置に対応する参照信号アンテナ・ポートは、Ｉｎｄｅｘｓｅｔの関数であり得る。加えて、関数のパラメータは、ＩｎｄｅｘＥＣＣＥ、Ｘ、Ｌ、及びｃｅｌｌ＿ｉｄの少なくとも１つを含み得る。以下に例を挙げる。
ＰｏｒｔＤＭＲＳ＝ｆ（Ｉｎｄｅｘｓｅｔ）、又は
（外３）
0005955988.tif 000008
、又は
ＰｏｒｔＤＭＲＳ＝（ＩｎｄｅｘＥＣＣＥ＋（Ｘ＋Ｉｎｄｅｘｓｅｔ）ｍｏｄ  Ｎ）ｍｏｄ  Ｓ＋１０７、又は
ＰｏｒｔＤＭＲＳ＝（ＩｎｄｅｘＥＣＣＥ＋（Ｘ＋Ｉｎｄｅｘｓｅｔ＋ｌｏｇ２（Ｌ））ｍｏｄ  Ｎ）ｍｏｄ  Ｓ＋１０７、又は
ＰｏｒｔＤＭＲＳ＝（ＩｎｄｅｘＥＣＣＥ＋（Ｘ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ＋ｌｏｇ２（Ｌ））ｍｏｄ（２×Ｎ））ｍｏｄ  Ｓ＋１０７、又は
ＰｏｒｔＤＭＲＳ＝（２×ＩｎｄｅｘＥＣＣＥ＋（Ｘ＋Ｉｎｄｅｘｓｅｔ）ｍｏｄ（２×Ｎ））ｍｏｄ  Ｓ＋１０７、又は
ＰｏｒｔＤＭＲＳ＝（２×ＩｎｄｅｘＥＣＣＥ＋（Ｘ＋Ｉｎｄｅｘｓｅｔ＋ｌｏｇ２（Ｌ））ｍｏｄ（２×Ｎ））ｍｏｄ  Ｓ＋１０７
【０１０９】
典型的に、１つのユーザ装置の１つの集約レベルに対応し、ＰＲＢペアにおいて同じ開始位置を有する局所的なＥ−ＰＤＣＣＨについて、異なるＸ値は、異なる参照信号アンテナ・ポートに対応する。以下に例を挙げる。
ＰｏｒｔＤＭＲＳ＝ｆ（Ｘ）、又は
ＰｏｒｔＤＭＲＳ＝ｆ（Ｘ１，Ｘ２，．．．，ＸＨ）、又は
ＰｏｒｔＤＭＲＳ＝（ＩｎｄｅｘＥＣＣＥ＋（Ｘ１＋Ｘ２）ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２）ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋Ｉｎｄｅｘｓｅｔ）ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋Ｉｎｄｅｘｓｅｔ）ｍｏｄ（２×Ｎ））ｍｏｄ  Ｓ＋１０７、又は
ＰｏｒｔＤＭＲＳ＝（ＩｎｄｅｘＥＣＣＥ＋（Ｘ１＋Ｘ２＋Ｉｎｄｅｘｓｅｔ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｘ１＋Ｘ２＋Ｉｎｄｅｘｓｅｔ＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｙｋ＋ｌｏｇ２（Ｌ））ｍｏｄ  Ｎ）ｍｏｄ  Ｓ＋１０７、又は
ＰｏｒｔＤＭＲＳ＝（２×ＩｎｄｅｘＥＣＣＥ＋（Ｙｋ＋Ｉｎｄｅｘｓｅｔ＋ｌｏｇ２（Ｌ））ｍｏｄ（２×Ｎ））ｍｏｄ  Ｓ＋１０７、又は
ＰｏｒｔＤＭＲＳ＝（ＩｎｄｅｘＥＣＣＥ＋（Ｙｋ＋ｃｅｉｌ（Ｌ／Ｔ））ｍｏｄ  Ｎ）ｍｏｄ  Ｓ＋１０７、又は
ＰｏｒｔＤＭＲＳ＝（２×ＩｎｄｅｘＥＣＣＥ＋（Ｙｋ＋Ｉｎｄｅｘｓｅｔ＋ｃｅｉｌ（Ｌ／Ｔ））ｍｏｄ（２×Ｎ））ｍｏｄ  Ｓ＋１０７
【０１１０】
典型的に、ＰＲＢペアにおける利用可能な参照信号アンテナ・ポートの数がＲであるとき、Ｅ−ＰＤＣＣＨの局所的なリソースの組において、その集約レベルがＺ以上であるユーザ装置のＥ−ＰＤＣＣＨは、参照信号アンテナ・ポートに対応し、異なるユーザのＥ−ＰＤＣＣＨは、異なる参照信号アンテナ・ポートに対応し得、異なる参照信号アンテナ・ポートの数はＲより小さい。
【０１１１】
さらに、Ｅ−ＰＤＣＣＨの局所的なリソースの組において、その集約レベルがＴ以上であるユーザ装置のＥ−ＰＤＣＣＨに対応する参照信号アンテナ・ポートは、参照信号アンテナ・ポートの組１又は参照信号アンテナ・ポートの組２に属し、参照信号アンテナ・ポートの組１又は２に含まれる参照信号アンテナ・ポートの数はＲより小さい。
【０１１２】
さらに、ユーザ装置について、Ｗ及び／又はＶの値は、集約レベルにおけるＥ−ＰＤＣＣＨに対応する参照信号アンテナ・ポートを決定する。さらに、Ｗの値は、集約レベルにおけるＥ−ＰＤＣＣＨに対応する参照信号アンテナ・ポートが参照信号アンテナ・ポートの組１又は２に属するかどうかを決定する。さらに、ユーザ装置について、Ｖの値は、参照信号アンテナ・ポートの組から選択された参照信号アンテナ・ポートが集約レベルにおけるＥ−ＰＤＣＣＨに対応する参照信号アンテナ・ポートであることを決定し、Ｗ及びＶは、ユーザ装置の基地局によって構成された識別情報を表し、Ｉｎｄｅｘｓｅｔ又はＸであり得る。
【０１１３】
具体的には、もし、ＰＲＢペアに含まれるＥ−ＣＣＥの数が４であるならば、Ｚの値は４であり、Ｒの値は４である。ユーザ装置について、４より大きい集約レベルにおけるＥ−ＰＤＣＣＨに対応する参照信号アンテナ・ポートは、参照信号アンテナ・ポートの組１又は２に属し、集約レベルはユーザ装置に対応する。対応する参照信号アンテナ・ポートは、Ｗ及び／又はＶに従って決定される。
【０１１４】
オプション的に、参照信号アンテナ・ポートの組１は、｛参照信号アンテナ・ポート１０７、参照信号アンテナ・ポート１０９｝を含み、かつ参照信号アンテナ・ポートの組２は、｛参照信号アンテナ・ポート１０８、参照信号アンテナ・ポート１１０｝を含み、又は参照信号アンテナ・ポートの組１は、｛参照信号アンテナ・ポート１０７、参照信号アンテナ・ポート１１０｝を含み、かつ参照信号アンテナ・ポートの組２は、｛参照信号アンテナ・ポート１０８、参照信号アンテナ・ポート１０９｝を含み、又は参照信号アンテナ・ポートの組１は、｛参照信号アンテナ・ポート１０７、参照信号アンテナ・ポート１０８｝を含み、かつ参照信号アンテナ・ポートの組２は、｛参照信号アンテナ・ポート１０９、参照信号アンテナ・ポート１１０｝を含む。
【０１１５】
通常のサイクリック・プレフィックス・サブフレームについて、Ｓ＝４である。拡張されたサイクリック・プレフィックス・サブフレームについて、Ｓ＝２である。Ｎは、ＰＲＢペアにおけるＥ−ＰＤＣＣＨのＥＣＣＥの数であり、ＩｎｄｅｘＥＣＣＥは、ＰＲＢペアにおけるＥ−ＰＤＣＣＨの開始Ｅ−ＣＣＥのシーケンス番号又はシーケンス番号情報である。Ｉｎｄｅｘｓｅｔは、リソースの組のシーケンス番号又はシーケンス番号情報又はリソースの組の特定のパラメータである。ｃｅｌｌ＿ｉｄは、セル固有の識別情報又は仮想のセル固有の識別情報である。Ｌは、集約レベルである。Ｔは、ＰＲＢペアに含まれるＥＣＣＥの数である。
【０１１６】
Ｘは、ユーザ装置に固有のパラメータを表し、ＲＮＴＩ（無線ネットワーク一時識別情報）などのユーザ装置固有の識別情報、又はＤＭＲＳシーケンスを生成するためにユーザ装置によって使用される参照識別情報、又はＤＭＲＳシーケンスを生成するためにユーザ装置によって使用されるスクランブル・コードＩＤ、又は制御チャネルの検索領域に対応するＣＣＥの位置を生成するための初期設定パラメータＹｋであり得、Ｙｋ＝（Ａ・Ｙｋ−１）ｍｏｄ  Ｄであり、その意味は、３ＧＰＰ  ３６．２１３  Ｖ１０．６．０（物理チャネル及び変調、リリース１０）の第９．１．１章「ＰＤＣＣＨ割り当て手順（ＰＤＣＣＨ  Ａｓｓｉｇｎｍｅｎｔ  Ｐｒｏｃｅｄｕｒｅ）」に詳述されており、Ｙｋの具体的な式の形は、３ＧＰＰ  ３６．２１３の新しいバージョンにおける定義の更新に従って更新され得る。Ｘ１、Ｘ２、及びＸＨは、上に列挙されたＸの識別情報の特定の例であり、Ｈは２以上である。
【０１１７】
典型的に、表１から表４は、参照信号アンテナ・ポートを選択するための具体的な方法を記載している。サポートされる異なる集約レベルに応じて、参照信号アンテナ・ポートの選択は、表における特定の行にあり得る。表１に示すように、第１ユーザ装置の第１集約レベル１について、ＩｎｄｅｘＥＣＣＥ＝ｅのとき、Ｅ−ＰＤＣＣＨに対して選択される参照信号アンテナ・ポートは１０７であり、ＩｎｄｅｘＥＣＣＥ＝ｆのとき、Ｅ−ＰＤＣＣＨに対して選択される参照信号アンテナ・ポートは１０８であり、ＩｎｄｅｘＥＣＣＥ＝ｇのとき、Ｅ−ＰＤＣＣＨに対して選択される参照信号アンテナ・ポートは１０９であり、ＩｎｄｅｘＥＣＣＥ＝ｋのとき、Ｅ−ＰＤＣＣＨに対して選択される参照信号アンテナ・ポートは１１０である、というように続く。ここで、ｅ、ｆ、ｇ、及びｋは、たとえば、０、１、２、３、及び４の任意の１つの値など、ＩｎｄｅｘＥＣＣＥの特定の値である。
【０１１８】
【表５】
0005955988.tif 000009
【０１１９】
【表６】
0005955988.tif 000010
【０１２０】
【表７】
0005955988.tif 000011
【０１２１】
【表８】
0005955988.tif 000012
【０１２２】
Ｓ４０５。基地局は、アンテナ・ポートを使用することによって、ユーザ装置にＥ−ＰＤＣＣＨ又はＥ−ＣＣＥを送信する。
【０１２３】
典型的に、異なる構成パラメータに従って異なる送信方法を選択され得る。たとえば、候補制御チャネルの組におけるすべてのＥ−ＣＣＥは、該アンテナ・ポートを使用することによってユーザ装置に送信される。代替的に、基地局は、該アンテナ・ポートを使用することによって、候補制御チャネルの組における事前に選択された集約レベルにおいてすべてのＥ−ＣＣＥをユーザ装置に送信するか、又はアンテナ・ポートを使用することによって、候補制御チャネルの組における事前に選択された集約レベルにおけるｍ番目のＥ−ＰＤＣＣＨにおけるすべてのＥ−ＣＣＥをユーザ装置に送信する。
【０１２４】
基地局及びユーザ装置は、アンテナ・ポートを決定するために同じ方法を使用することは指摘する価値がある。ユーザ装置は、基地局によって実行されるマッピング及び送信する方法と同じ方法で復調及び受信を実行する。したがって、送信のために基地局によって使用されるアンテナ・ポートは、復調及び受信のためにユーザ装置によって使用されるアンテナ・ポートと一致し、本明細書ではそれ以上繰り返さない。
【０１２５】
Ｓ４０６。基地局は、セル固有の識別情報及び／又はユーザ装置固有の識別情報をユーザ装置に送信し、及び／又は相互に知られているルールに従ってＲＢペアのシーケンス番号を取得し、シーケンス番号は、ユーザ装置によって事前に設定される。
【０１２６】
Ｓ４０６はＳ４０３の後に実行され、Ｓ４０６、Ｓ４０４、及びＳ４０５の間に順序関係はないことに注意されたい。
【０１２７】
本発明のこの実施形態で提供される制御チャネル・リソース送信方法では、ユーザ装置は、事前に設定されたプロトコル又は基地局によって送信される上位レイヤ・シグナリングに従って候補制御チャネルの組における構成パラメータを取得し、構成パラメータに従ってアンテナ・ポートを決定し、該アンテナ・ポートを使用することによって、基地局によって送信された制御チャネル又は制御チャネル要素を受信する。基地局は、アンテナ・ポートを決定するために同じ方法を使用し、該アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送受信することが可能になる。これによって、ユーザ装置が、基地局によって送信された制御チャネル又は制御チャネル要素を正しく復調及び受信できることが保証される。
【０１２８】
図５に示すように、本発明の一実施形態で提供されるユーザ装置５０は、以下を含む。
【０１２９】
第１取得ユニット５０１は、事前に設定されたプロトコル及び／又は基地局によって送信された上位レイヤ・シグナリングに従って候補制御チャネルの組における構成パラメータを取得するように構成される。
【０１３０】
上位レイヤ・シグナリングは、構成パラメータを通知するために使用される。
【０１３１】
事前に設定されたプロトコルは、ＬＥＴプロトコルなどの既存のよく知られているプロトコル、又は基地局及びユーザ装置の構成条件に従って新しく設定されるプロトコルであり得ることに注意されたい。事前に設定されたプロトコルは、基地局及びユーザ装置の両方に知られており、リソース送信が実行される前に一様に決定される。加えて、取得は相互に知られたプロトコルに従っているため、基地局によって取得される構成パラメータは、ユーザ装置によって取得される構成パラメータと同じである。
【０１３２】
第１決定ユニット５０２は、取得ユニット５０１によって取得された構成パラメータに従ってアンテナ・ポートを決定するように構成される。
【０１３３】
代替的な実施形態では、同じユーザ装置の同じ集約レベルを有し、物理リソース・ブロックＰＲＢペアにおいて同じ開始位置を有する制御チャネルについて、異なる構成を有する局所的なリソースの組における制御チャネルは、異なる参照信号アンテナ・ポートに対応する。
【０１３４】
前述の代替実施形態では、さらに好ましくは、異なる構成を有する局所的なリソースの組は、
異なる局所的なリソースの組のシーケンス番号若しくはシーケンス番号情報、及び／又は
局所的なリソースの組の参照識別情報若しくは異なる局所的なリソースの組のスクランブル・コード識別情報ＩＤを含み、参照識別情報は、復調パイロットＤＭＲＳシーケンスを生成するために使用され、スクランブル・コード識別情報ＩＤは、ＤＭＲＳシーケンスを生成するために使用される。
【０１３５】
前述の代替実施形態では、さらに好ましくは、アンテナ・ポートは、以下の式の少なくとも１つによって決定される。
アンテナ・ポート＝（ＩｎｄｅｘＥＣＣＥ＋（Ｘ＋Ｉｎｄｅｘｓｅｔ）ｍｏｄ  Ｎ）ｍｏｄ  Ｓ＋１０７、
アンテナ・ポート＝（２×ＩｎｄｅｘＥＣＣＥ＋（Ｘ＋Ｉｎｄｅｘｓｅｔ）ｍｏｄ（２×Ｎ））ｍｏｄ  Ｓ＋１０７、
アンテナ・ポート＝（ＩｎｄｅｘＥＣＣＥ＋（Ｘ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ＋Ｉｎｄｅｘｓｅｔ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ＋Ｉｎｄｅｘｓｅｔ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ１＋Ｘ２）ｍｏｄ  Ｎ）ｍｏｄ  Ｓ＋１０７、
アンテナ・ポート＝（２×ＩｎｄｅｘＥＣＣＥ＋（Ｘ１＋Ｘ２）ｍｏｄ（２×Ｎ））ｍｏｄ  Ｓ＋１０７、
アンテナ・ポート＝（ＩｎｄｅｘＥＣＣＥ＋（Ｘ１＋Ｘ２＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ１＋Ｘ２＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ１＋Ｘ２＋Ｉｎｄｅｘｓｅｔ）ｍｏｄ  Ｎ）ｍｏｄ  Ｓ＋１０７、
アンテナ・ポート＝（２×ＩｎｄｅｘＥＣＣＥ＋（Ｘ１＋Ｘ２＋Ｉｎｄｅｘｓｅｔ）ｍｏｄ（２×Ｎ））ｍｏｄ  Ｓ＋１０７、
アンテナ・ポート＝（ＩｎｄｅｘＥＣＣＥ＋（Ｘ１＋Ｘ２＋Ｉｎｄｅｘｓｅｔ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ１＋Ｘ２＋Ｉｎｄｅｘｓｅｔ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｙｋ＋ｃｅｉｌ（Ｌ／Ｔ））ｍｏｄ  Ｎ）ｍｏｄ  Ｓ＋１０７、
アンテナ・ポート＝（２×ＩｎｄｅｘＥＣＣＥ＋（Ｙｋ＋Ｉｎｄｅｘｓｅｔ＋ｃｅｉｌ（Ｌ／Ｔ））ｍｏｄ（２×Ｎ））ｍｏｄ  Ｓ＋１０７
ここで、ＩｎｄｅｘＥＣＣＥは、ＰＲＢペアにおける制御チャネルの開始制御チャネル要素のシーケンス番号又はシーケンス番号情報である。Ｉｎｄｅｘｓｅｔは、リソースの組のシーケンス番号又はシーケンス番号情報又はリソースの組の特定のパラメータである。Ｓ＝２又は４である。Ｎは、ＰＲＢペアにおける制御チャネルによって占められる制御チャネル要素の数である。Ｔは、ＰＲＢペアに含まれる制御チャネル要素の数である。Ｌは、集約レベルである。Ｙｋは、制御チャネルの検索領域に対応する制御チャネル要素の位置を生成するための初期設定パラメータである。Ｘ、Ｘ１、及びＸ２は、
ＤＭＲＳシーケンスを生成するための参照識別情報、
ＤＭＲＳシーケンスを生成するためのスクランブル・コードＩＤ、
Ｙｋ、
ユーザ装置固有のパラメータ、
ユーザ装置固有の識別情報、及び
無線ネットワーク一時識別情報
のいずれか１つである。
【０１３６】
他の代替実施形態では、局所的なリソースの組において、異なるユーザのであり、その集約レベルがＺ以上である制御チャネル、の少なくとも２つは、異なる参照信号アンテナ・ポートに対応し、少なくとも２つの制御チャネルに対応する参照信号アンテナ・ポートの数はＲより小さく、ここでＲは、ＰＲＢペアに含まれる参照信号アンテナ・ポートの数であり、Ｚは、しきい値集約レベルである。
【０１３７】
前述の他の代替実施形態では、さらに好ましくは、
ＰＲＢペアに含まれる制御チャネル要素の数は４であり、Ｚの値は４であり、及びＲの値は４であり、並びに／又は
ＰＲＢペアに含まれる制御チャネル要素の数は２であり、Ｚの値は２であり、及びＲの値は４である。
【０１３８】
好ましくは、前述の実施形態では、制御チャネルは、拡張された物理ダウンリンク制御チャネルＥ−ＰＤＣＣＨであり、制御チャネル要素は、拡張された制御チャネル要素Ｅ−ＣＣＥである。
【０１３９】
受信ユニット５０３は、決定ユニット５０２によって決定されたアンテナ・ポートを使用することによって、基地局６０によって送信された制御チャネル又は制御チャネル要素を受信するように構成される。
【０１４０】
典型的に、受信ユニット５０３は、決定ユニット５０２によって決定されたアンテナ・ポートを使用することによって、基地局６０によって送信されたＥ−ＰＤＣＣＨ又はＥ−ＣＣＥを受信するように構成される。
【０１４１】
さらに、図６に示すように、ユーザ装置５０は、
基地局６０によって送信されたセル固有の識別情報及び／又はユーザ装置固有の識別情報を受信するように構成された受信ユニット５０４、
及び／又は基地局に相互に知られているルールに従ってＲＢペアのシーケンス番号を取得するように構成された第２取得ユニット５０５であって、シーケンス番号は、ユーザ装置５０によって事前に設定される、第２取得ユニット５０５
をさらに含む。
【０１４２】
受信ユニット５０４及び第２の取得ユニット５０５は、ユーザ装置が特定の識別情報を受信する必要があるか、又はＲＢペアを取得する必要があるかに応じて配置され、図６の図によって制限されることなく、それらは共存することができるか、又はそれらの１つだけが配置されることに注意されたい。
【０１４３】
第２決定ユニット５０６は、第１取得ユニット５０１によって取得された構成パラメータ、及びセル固有の識別情報、及び／又は受信ユニット５０４によって受信されたユーザ装置固有の識別情報、及び／又は第２取得ユニット５０５によって取得されたＲＢペアのシーケンス番号に従ってアンテナ・ポートを決定するように構成される。
【０１４４】
ユーザ装置が、受信ユニット５０４及び／又は第２取得ユニット５０５が働くことを必要とするとき、ユーザ装置は、アンテナ・ポートを決定するために第２決定ユニット５０６を使用することに注意されたい。
【０１４５】
ユーザ装置５０は、前述の実施形態で提供される方法に従って働くことができ、働く方法は、実施形態で提供される方法と同じであり、本明細書ではそれ以上繰り返さない。
【０１４６】
本発明のこの実施形態で提供されるユーザ装置に従って、ユーザ装置は、事前に設定されたプロトコル又は基地局によって送信される上位レイヤ・シグナリングに従って候補制御チャネルの組における構成パラメータを取得し、構成パラメータに従ってアンテナ・ポートを決定し、アンテナ・ポートを使用することによって、基地局によって送信された制御チャネル又は制御チャネル要素を受信し、基地局は、アンテナ・ポートを決定するために同じ方法を使用し、アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送信及び受信することが可能になる。これによって、ユーザ装置が、基地局によって送信された制御チャネル又は制御チャネル要素を正しく復調及び受信できることが保証される。
【０１４７】
図７に示すように、本発明の一実施形態で提供される基地局６０は、以下を含む。
【０１４８】
第１取得ユニット６０１が、事前に設定されたプロトコル及び／又はユーザ装置に送信された上位レイヤ・シグナリングに従って候補制御チャネルの組における構成パラメータを取得するように構成され、上位レイヤ・シグナリングは、構成パラメータを通知するために使用される。
【０１４９】
第１決定ユニット６０２は、第１取得ユニット６０１によって取得された構成パラメータに従ってアンテナ・ポートを決定するように構成される。
【０１５０】
代替的な実施形態では、同じユーザ装置の同じ集約レベルを有し、物理リソース・ブロックＰＲＢペアにおいて同じ開始位置を有する制御チャネルについて、異なる構成を有する局所的なリソースの組における制御チャネルは、異なる参照信号アンテナ・ポートに対応する。
【０１５１】
前述の代替実施形態では、さらに好ましくは、異なる構成を有する局所的なリソースの組は、
異なる局所的なリソースの組のシーケンス番号又はシーケンス番号情報、及び／又は
局所的なリソースの組の参照識別情報若しくは異なる局所的なリソースの組のスクランブル・コード識別情報ＩＤを含み、参照識別情報は、復調パイロットＤＭＲＳシーケンス識別情報を生成するために使用され、スクランブル・コード識別情報ＩＤは、ＤＭＲＳシーケンスを生成するために使用される。
【０１５２】
前述の代替実施形態では、さらに好ましくは、アンテナ・ポートは、以下の式の少なくとも１つによって決定される。
アンテナ・ポート＝（ＩｎｄｅｘＥＣＣＥ＋（Ｘ＋Ｉｎｄｅｘｓｅｔ）ｍｏｄ  Ｎ）ｍｏｄ  Ｓ＋１０７、
アンテナ・ポート＝（２×ＩｎｄｅｘＥＣＣＥ＋（Ｘ＋Ｉｎｄｅｘｓｅｔ）ｍｏｄ（２×Ｎ））ｍｏｄ  Ｓ＋１０７、
アンテナ・ポート＝（ＩｎｄｅｘＥＣＣＥ＋（Ｘ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ＋Ｉｎｄｅｘｓｅｔ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ＋Ｉｎｄｅｘｓｅｔ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ１＋Ｘ２）ｍｏｄ  Ｎ）ｍｏｄ  Ｓ＋１０７、
アンテナ・ポート＝（２×ＩｎｄｅｘＥＣＣＥ＋（Ｘ１＋Ｘ２）ｍｏｄ（２×Ｎ））ｍｏｄ  Ｓ＋１０７、
アンテナ・ポート＝（ＩｎｄｅｘＥＣＣＥ＋（Ｘ１＋Ｘ２＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ１＋Ｘ２＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｘ１＋Ｘ２＋Ｉｎｄｅｘｓｅｔ）ｍｏｄ  Ｎ）ｍｏｄ  Ｓ＋１０７、
アンテナ・ポート＝（２×ＩｎｄｅｘＥＣＣＥ＋（Ｘ１＋Ｘ２＋Ｉｎｄｅｘｓｅｔ）ｍｏｄ（２×Ｎ））ｍｏｄ  Ｓ＋１０７、
アンテナ・ポート＝（ＩｎｄｅｘＥＣＣＥ＋（Ｘ１＋Ｘ２＋Ｉｎｄｅｘｓｅｔ＋ｌｏｇ２（Ｌ））ｍｏｄ  Ｎ）ｍｏｄ  Ｓ＋１０７、
アンテナ・ポート＝（２×ＩｎｄｅｘＥＣＣＥ＋（Ｘ１＋Ｘ２＋Ｉｎｄｅｘｓｅｔ＋ｌｏｇ２（Ｌ））ｍｏｄ（２×Ｎ））ｍｏｄ  Ｓ＋１０７、
アンテナ・ポート＝（ＩｎｄｅｘＥＣＣＥ＋（Ｙｋ＋ｃｅｉｌ（Ｌ／Ｔ））ｍｏｄ  Ｎ）ｍｏｄ  Ｓ＋１０７、及び
アンテナ・ポート＝（２×ＩｎｄｅｘＥＣＣＥ＋（Ｙｋ＋Ｉｎｄｅｘｓｅｔ＋ｃｅｉｌ（Ｌ／Ｔ））ｍｏｄ（２×Ｎ））ｍｏｄ  Ｓ＋１０７
ここで、ＩｎｄｅｘＥＣＣＥは、ＰＲＢペアにおける制御チャネルの開始制御チャネル要素のシーケンス番号又はシーケンス番号情報である。Ｉｎｄｅｘｓｅｔは、リソースの組のシーケンス番号又はシーケンス番号情報又はリソースの組の特定のパラメータである。Ｓ＝２又は４である。Ｎは、ＰＲＢペアにおける制御チャネルによって占められる制御チャネル要素の数である。Ｔは、ＰＲＢペアに含まれる制御チャネル要素の数である。Ｌは、集約レベルである。Ｙｋは、制御チャネルの検索領域に対応する制御チャネル要素の位置を生成するための初期設定パラメータである。Ｘ、Ｘ１、及びＸ２は、
ＤＭＲＳシーケンスを生成するための参照識別情報、
ＤＭＲＳシーケンスを生成するためのスクランブル・コードＩＤ、
Ｙｋ、
ユーザ装置固有のパラメータ、
ユーザ装置固有の識別情報、及び
無線ネットワーク一時識別情報
のいずれか１つである。
【０１５３】
他の代替実施形態では、局所的なリソースの組において、異なるユーザのであり、その集約レベルがＺ以上である制御チャネル、の少なくとも２つは、異なる参照信号アンテナ・ポートに対応し、少なくとも２つの制御チャネルに対応する参照信号アンテナ・ポートの数はＲより小さく、ここでＲは、ＰＲＢペアに含まれる参照信号アンテナ・ポートの数であり、Ｚは、しきい値集約レベルである。
【０１５４】
前述の他の代替実施形態では、さらに好ましくは、
ＰＲＢペアに含まれる制御チャネル要素の数は４であり、Ｚの値は４であり、及びＲの値は４であり、並びに／又は
ＰＲＢペアに含まれる制御チャネル要素の数は２であり、Ｚの値は２であり、及びＲの値は４である。
【０１５５】
前述の実施形態では、制御チャネルは、拡張された物理ダウンリンク制御チャネルＥ−ＰＤＣＣＨであり、制御チャネル要素は、拡張された制御チャネル要素Ｅ−ＣＣＥである。
【０１５６】
典型的に、第１決定ユニット６０２は、検索領域における１番目のＥ−ＣＣＥ又は候補制御チャネルの組におけるＥ−ＰＤＣＣＨ、の位置に従って参照信号アンテナ・ポートを決定するか、又は集約レベルＬ及び／若しくは集約レベルＬに対応する検索領域におけるＥ−ＰＤＣＣＨのシーケンス番号ｍに従って参照信号アンテナ・ポートを決定するか、又は検索領域における１番目のＥ−ＣＣＥ又は候補制御チャネルの組におけるＥ−ＰＤＣＣＨ、の位置に従って、並びに集約レベルＬ及び／若しくは集約レベルＬに対応する検索領域におけるＥ−ＰＤＣＣＨのシーケンス番号ｍに従って参照信号アンテナ・ポートを決定するように構成される。
【０１５７】
第１送信ユニット６０３は、第１決定ユニット６０２によって決定されたアンテナ・ポートを使用することによって、ユーザ装置５０に制御チャネル又は制御チャネル要素を送信するように構成される。
【０１５８】
典型的に、第１送信ユニット６０３は、第１決定ユニット６０２によって決定されたアンテナ・ポートを使用することによって、ユーザ装置５０にＥ−ＰＤＣＣＨ又はＥ−ＣＣＥを送信するように構成される。
【０１５９】
さらに、図８に示すように、基地局６０は、
ユーザ装置５０に従ってセル固有の識別情報及び／若しくはユーザ装置固有の識別情報を取得するように構成された第２取得ユニット６０４、
並びに／又は
ユーザ装置に相互に知られているルールに従ってＲＢペアのシーケンス番号を取得するように構成された第３取得ユニット６０５であり、シーケンス番号は、ユーザ装置５０によって事前に設定される、第３取得ユニット６０５
をさらに含む。
【０１６０】
第２取得ユニット６０４及び第３取得ユニット６０５は、基地局６０が特定の識別情報を受信する必要があるか、ＲＢペアを取得する必要があるかに応じて配置され、図８の図によって制限されることなく、それらは共存することができるか、又はそれらの１つだけが配置されることに注意されたい。
【０１６１】
基地局６０は、
第１取得ユニット６０１によって取得された構成パラメータ、及びセル固有の識別情報、及び／又は第２の取得ユニット６０４によって取得されたユーザ装置固有の識別情報、及び／又は第３取得ユニット６０５によって取得されたリソース・ブロック・ペアのシーケンス番号に従ってアンテナ・ポートを決定するように構成された第２決定ユニット６０６
をさらに含む。
【０１６２】
第２取得ユニット６０４及び／又は第３取得ユニット６０５が存在し働くとき、基地局は、アンテナ・ポートを決定するために第２決定ユニット６０６を使用する。
【０１６３】
基地局６０が、ユーザ装置５０の特定の識別情報を使用することによって、アンテナ・ポートを決定する必要があるとき、ユーザ装置は、特定の識別情報を独立して取得することができないため、図９に示すように、基地局６０は、
第２取得ユニット６０４によって取得されたセル固有の識別情報及び／又はユーザ装置固有の識別情報をユーザ装置５０に送信するように構成された第２送信ユニット６０７
をさらに含む。
【０１６４】
基地局６０は、前述の実施形態で提供される方法に従って働き得、働く方法は、実施形態で提供される方法と同じであり、本明細書ではそれ以上繰り返さない。
【０１６５】
本発明のこの実施形態で提供される基地局に従って、基地局は、事前に設定されたプロトコルに従って、又はユーザに上位レイヤ・シグナリングを送信することによって、候補制御チャネルの組における構成パラメータを取得し、構成パラメータに従ってアンテナ・ポートを決定し、アンテナ・ポートを使用することによって、ユーザ装置に制御チャネル又は制御チャネル要素を送信する。このようにして、アンテナ・ポートを取得するためにユーザ装置に通知するために、基地局がＰＤＣＣＨを使用する必要がある従来技術とは異なり、本発明のこの実施形態では、各ユーザ装置は、対応するパラメータを使用することによって、アンテナ・ポートを決定し、決定されたアンテナ・ポートを使用することによって、制御チャネル又は制御チャネル要素を送受信することが可能になる。これによって、ユーザ装置が基地局によって送信された制御チャネル又は制御チャネル要素を正しく復調及び受信できることが保証される。
【０１６６】
当業者は、方法の実施形態のステップのすべて又は一部分は、関連するハードウェアに指示するプログラムによって実装し得ることを理解し得る。プログラムは、コンピュータ可読記憶媒体に格納し得る。プログラムが実行されるときに、方法の実施形態のステップが実行される。前述の記憶媒体は、ＲＯＭ、ＲＡＭ、磁気ディスク、又は光ディスクなどの、プログラム・コードを格納することができる任意の媒体を含む。
【０１６７】
上記の記述は、単に本発明の特定の実施形態であり、本発明の保護範囲を制限することを意図するものではない。本発明で開示された技術的な範囲内において、当業者によって容易に理解される変形形態又は置き換えは、本発明の保護範囲内にある。したがって、本発明の保護範囲は、特許請求の範囲の保護範囲に従う。
【０１６８】
（関連出願の相互参照）
本出願は、２０１２年３月１６日に中国特許庁に出願された、「制御チャネル・リソース送信方法、ユーザ装置、および基地局」と題する中国特許出願第２０１２１００７１０８５．３号の優先権を主張するものであり、その全体が参照により本明細書に組み込まれる。
【図１】
0005955988.tif 000013
【図２】
0005955988.tif 000014
【図３】
0005955988.tif 000015
【図４】
0005955988.tif 000016
【図５】
0005955988.tif 000017
【図６】
0005955988.tif 000018
【図７】
0005955988.tif 000019
【図８】
0005955988.tif 000020
【図９】
0005955988.tif 000021